(57)【要約】【課題】２重像を抑制することができる画像表示装置を提供する。【解決手段】画像表示装置１０は、表示パネル１３０と、表示パネル１３０と重ね合わせて配置される表示パネル１８０と、入力画像データに基づいて、表示パネル１３０に第１出力画像データ及び表示パネル１８０に第２出力画像データを生成する信号処理部２２０とを備える。第１出力画像データは、明るさが異なる領域Ｒ１及びＲ２を有する。そして、信号処理部２２０は、入力画像データを分割した複数の仮想ブロック２７０それぞれにおいて明暗の差又は比を示す特徴量を取得する取得部１８１と、特徴量が閾値以上である仮想ブロック２７０において、領域Ｒ１と重なり、領域Ｒ１の明るさに応じた領域Ｒ３、及び、領域Ｒ２と重なり、領域Ｒ２の明るさに応じた領域Ｒ４を有する中間画像データの、領域Ｒ４の明るさを領域Ｒ３の明るさに近づけて第２出力画像データを生成する拡張部２２５とを有する。【選択図】図５
2020064240.tif 000002
【特許請求の範囲】
【請求項１】
複数の第１画素を有する第１表示パネルと、
前記第１表示パネルと重ね合わせて配置され、複数の第２画素を有する第２表示パネルと、
入力画像データに基づいて、前記第１表示パネルに対応する第１出力画像データと、前記第２表示パネルに対応する第２出力画像データとを生成する信号処理部とを備え、
前記第１出力画像データが示す画像は、第１輝度より明るい第１画素又は前記第１輝度より暗い第１画素の一方で形成される第１領域、及び、前記第１領域の周囲の領域であって前記第１輝度より明るい第１画素及び前記第１輝度より暗い第１画素の他方で形成される第２領域を有し、
前記信号処理部は、
前記入力画像データが示す画像を複数の仮想ブロックに分割し、前記複数の仮想ブロックそれぞれにおいて当該仮想ブロック内の画像における明暗の差又は比を示す特徴量を取得する取得部と、
前記特徴量が閾値以上である仮想ブロックにおいて、前記第２出力画像データを生成するための前記入力画像データに基づく中間画像データであって、表示したときに前記第１領域と重なり、前記第１領域の明るさに応じた明るさを有する第３領域、及び、表示したときに前記第２領域と重なり、前記第２領域の明るさに応じた明るさを有する第４領域を有する中間画像データの、前記第４領域の明るさを前記第３領域の明るさに近づけることで前記第３領域が拡張した前記第２出力画像データを生成する拡張部とを有する
画像表示装置。
【請求項２】
前記拡張部は、注目画素と当該注目画素の周囲の画素とからなる領域をフィルタサイズとして、当該フィルタサイズ内の画素の輝度を注目画素の輝度に設定する拡張フィルタ処理を実行するフィルタ処理部を有し、
前記フィルタ処理部は、前記特徴量が閾値以上である仮想ブロックにおいて、前記特徴量が閾値未満である仮想ブロックに比べて多い画素数からなるフィルタサイズで前記拡張フィルタ処理を行うことで、前記第３領域を拡張する
請求項１に記載の画像表示装置。
【請求項３】
前記フィルタ処理部の前記フィルタサイズを前記複数の仮想ブロックそれぞれにおいて決定する決定部をさらに備え、
前記決定部は、前記特徴量が高いほど、当該仮想ブロックにおいて前記拡張フィルタ処理を行うときの前記フィルタサイズを大きく決定することで、前記第３領域を広く拡張させる
請求項２に記載の画像表示装置。
【請求項４】
前記拡張部は、さらに、前記特徴量が前記閾値未満である場合に、前記第３領域の拡張を禁止する
請求項３に記載の画像表示装置。
【請求項５】
前記決定部は、さらに、前記第１表示パネル及び前記第２表示パネルの間隔が大きいほど、前記フィルタサイズを大きく決定することで、前記第３領域を広く拡張する
請求項３又は４に記載の画像表示装置。
【請求項６】
前記信号処理部は、前記第２領域のうち前記第３領域を拡張した拡張領域に対応する対応領域の明るさを、前記拡張領域における明るさの変化と逆方向に変化させる除算部を、さらに備える
請求項１〜５のいずれか１項に記載の画像表示装置。
【請求項７】
前記除算部は、前記対応領域及び前記拡張領域における前記入力画像データに基づく第２輝度と、前記対応領域における前記第１出力画像データ及び前記拡張領域における前記第２出力画像データに基づく第３輝度とが等しくなるように、前記対応領域の明るさを変化させる
請求項６に記載の画像表示装置。
【請求項８】
前記第１領域は、前記第１輝度より明るい第１画素で形成され、
前記第３領域は、第４輝度より明るい第２画素又は前記第４輝度より暗い第２画素のうち、前記第４輝度より明るい第２画素で形成される
請求項１〜７のいずれか１項に記載の画像表示装置。
【請求項９】
前記特徴量は、当該仮想ブロック内における最大輝度と最小輝度との差である
請求項１〜７のいずれか１項に記載の画像表示装置。
【請求項１０】
前記複数の第２画素のそれぞれは、前記複数の第１画素のそれぞれと一対一となるように配置される
請求項１〜７のいずれか１項に記載の画像表示装置。
【請求項１１】
複数の第１画素を有する第１表示パネルと、前記第１表示パネルと重ね合わせて配置され、複数の第２画素を有する第２表示パネルとを備える画像表示装置の画像表示方法であって、
入力画像データを取得する第１取得ステップと、
取得した前記入力画像データに基づいて、前記第１表示パネルに対応する第１出力画像データと、前記第２表示パネルに対応する第２出力画像データとを生成する生成ステップとを含み、
前記第１出力画像データが示す画像は、第１輝度より明るい第１画素又は前記第１輝度より暗い第１画素の一方で形成される第１領域、及び、前記第１領域の周囲の領域であって前記第１輝度より明るい第１画素及び前記第１輝度より暗い第１画素の他方で形成される第２領域を有し、
前記生成ステップは、
前記入力画像データが示す画像を複数の仮想ブロックに分割し、前記複数の仮想ブロックそれぞれにおいて当該仮想ブロック内の画像における明暗の差又は比を示す特徴量を取得する第２取得ステップと、
前記特徴量が閾値以上である仮想ブロックにおいて、前記第２出力画像データを生成するための前記入力画像データに基づく画像データであって、表示したときに前記第１領域と重なり、前記第１領域の明るさに応じた明るさを有する第３領域、及び、表示したときに前記第２領域と重なり、前記第２領域の明るさに応じた明るさを有する第４領域を有する画像データの、前記第４領域の明るさを前記第３領域の明るさに近づけて前記第３領域を拡張することで前記第２出力画像データを生成する拡張ステップとを含む
画像表示方法。
【発明の詳細な説明】
【技術分野】
【０００１】
本開示は、画像表示装置及び画像表示方法に関する。
【背景技術】
【０００２】
画像表示装置の表示品位を向上させるために種々の検討が行われている。例えば、２枚の液晶パネルを重ね合わせることで高階調化（高コントラスト化）された画像を表示することができる液晶表示装置が提案されている。特許文献１には、２枚の液晶パネルを重ねた場合に顕著になる彩度の低下を抑制することができる液晶表示装置が開示されている。
【先行技術文献】
【特許文献】
【０００３】
【特許文献１】国際公開第２００７／０４０１３９号
【発明の概要】
【発明が解決しようとする課題】
【０００４】
しなしながら、特許文献１の液晶表示装置は、斜め視野から画像を見たときに、２枚の液晶パネルの隙間によって画像の輪郭が２重に見える（以降において、２重像が見えるとも記載する）ことがある。
【０００５】
そこで、本開示では、複数の表示パネルを有する画像表示装置において、２重像が発生することを抑制することができる画像表示装置を提供する。
【課題を解決するための手段】
【０００６】
本開示の一態様に係る画像表示装置は、複数の第１画素を有する第１表示パネルと、前記第１表示パネルと重ね合わせて配置され、複数の第２画素を有する第２表示パネルと、入力画像データに基づいて、前記第１表示パネルに対応する第１出力画像データと、前記第２表示パネルに対応する第２出力画像データとを生成する信号処理部とを備え、前記第１出力画像データが示す画像は、第１輝度より明るい第１画素又は前記第１輝度より暗い第１画素の一方で形成される第１領域、及び、前記第１領域の周囲の領域であって前記第１輝度より明るい第１画素及び前記第１輝度より暗い第１画素の他方で形成される第２領域を有し、前記信号処理部は、前記入力画像データが示す画像を複数の仮想ブロックに分割し、前記複数の仮想ブロックそれぞれにおいて当該仮想ブロック内の画像における明暗の差又は比を示す特徴量を取得する取得部と、前記特徴量が閾値以上である仮想ブロックにおいて、前記第２出力画像データを生成するための前記入力画像データに基づく中間画像データであって、表示したときに前記第１領域と重なり、前記第１領域の明るさに応じた明るさを有する第３領域、及び、表示したときに前記第２領域と重なり、前記第２領域の明るさに応じた明るさを有する第４領域を有する中間画像データの、前記第４領域の明るさを前記第３領域の明るさに近づけることで前記第３領域が拡張した前記第２出力画像データを生成する拡張部とを有する。
【０００７】
また、本開示の一態様に係る画像表示方法は、複数の第１画素を有する第１表示パネルと、前記第１表示パネルと重ね合わせて配置され、複数の第２画素を有する第２表示パネルとを備える画像表示装置の画像表示方法であって、入力画像データを取得する第１取得ステップと、取得した前記入力画像データに基づいて、前記第１表示パネルに対応する第１出力画像データと、前記第２表示パネルに対応する第２出力画像データとを生成する生成ステップとを含み、前記第１出力画像データが示す画像は、第１輝度より明るい第１画素又は前記第１輝度より暗い第１画素の一方で形成される第１領域、及び、前記第１領域の周囲の領域であって前記第１輝度より明るい第１画素及び前記第１輝度より暗い第１画素の他方で形成される第２領域を有し、前記生成ステップは、前記入力画像データが示す画像を複数の仮想ブロックに分割し、前記複数の仮想ブロックそれぞれにおいて当該仮想ブロック内の画像における明暗の差又は比を示す特徴量を取得する第２取得ステップと、前記特徴量が閾値以上である仮想ブロックにおいて、前記第２出力画像データを生成するための前記入力画像データに基づく画像データであって、表示したときに前記第１領域と重なり、前記第１領域の明るさに応じた明るさを有する第３領域、及び、表示したときに前記第２領域と重なり、前記第２領域の明るさに応じた明るさを有する第４領域を有する画像データの、前記第４領域の明るさを前記第３領域の明るさに近づけて前記第３領域を拡張することで前記第２出力画像データを生成する拡張ステップとを含む。
【発明の効果】
【０００８】
本開示によれば、複数の表示パネルを有する画像表示装置において、２重像が発生することを抑制することができる。
【図面の簡単な説明】
【０００９】
【図１】図１は、実施の形態に係る液晶表示装置の外観斜視図である。
【図２】図２は、図１のＩＩ−ＩＩ線における、実施の形態に係る液晶表示装置の断面図である。
【図３】図３は、実施の形態に係る液晶表示装置の概略構成を示す模式図である。
【図４】図４は、実施の形態に係る液晶表示装置の拡大断面図である。
【図５】図５は、実施の形態に係る信号処理部の機能構成を示すブロック図である。
【図６】図６は、実施の形態に係る信号処理部が画像を複数の仮想ブロックに分割した様子を示す模式図である。
【図７】図７は、実施の形態に係るコントラストと膨らませ量との関係の一例を示す図である。
【図８】図８は、入力輝度と出力輝度との関係の一例を示す図である。
【図９】図９は、実施の形態に係る特徴量によるフィルタサイズを説明するための図である。
【図１０】図１０は、第３領域の拡張による液晶表示装置の画像の見え方を説明するための図である。
【図１１】図１１は、実施の形態に係る液晶表示装置の画像表示方法を示すフローチャートである。
【図１２Ａ】図１２Ａは、実施の形態の変形例１に係る第１間隔である液晶表示装置を第１角度から見た場合の様子を示す図である。
【図１２Ｂ】図１２Ｂは、実施の形態の変形例１に係る第２間隔である液晶表示装置を第２角度から見た様子を示す図である。
【図１３Ａ】図１３Ａは、実施の形態の変形例２に係る仮想ブロックの頂点における膨らませ量を説明するための図である。
【図１３Ｂ】図１３Ｂは、実施の形態の変形例２に係る膨らませ量の仮想ブロック間の補完を説明するための図である。
【図１４Ａ】図１４Ａは、従来例に係る液晶表示装置において視認される２重像の一例を示す図である。
【図１４Ｂ】図１４Ｂは、従来例に係る液晶表示装置において視認される２重像の他の一例を示す図である。
【図１４Ｃ】図１４Ｃは、従来例に係る液晶表示装置において２重像が視認されにくい一例を示す図である。
【発明を実施するための形態】
【００１０】
（本開示の基礎となった知見）
複数の液晶パネル（例えば、第１液晶パネル及び第２液晶パネル）を重ね合わせると、第１液晶パネルと第２液晶パネルとの間隔に応じて視差が発生して画像品位が低下する。視差による画像品位の低下を抑制するには、複数の液晶パネルの間隔を狭くすることが考えられるが、第１液晶パネルと第２液晶パネルとを接着するための接着部材（例えば、ＯＣＡ：Ｏｐｔｉｃａｌ  Ｃｌｅａｒ  Ａｄｈｅｓｉｖｅ）、各液晶パネルの基板（ガラス基板など）、及び、偏光板などの部材があるので、第１液晶パネルと第２液晶パネルとの間隔を狭くすることは困難である。第１液晶パネルと第２液晶パネルとの間隔は、使用される部材の厚みにより決定されるが、例えば、０．４ｍｍ〜１．０ｍｍ程度である。
【００１１】
ここで、液晶表示装置に表示される画像と、視差との関係について、図１４Ａ〜図１４Ｂを参照しながら説明する。
【００１２】
図１４Ａは、従来例に係る液晶表示装置において視認される２重像の一例を示す図である。図１４Ａの（ａ）は、液晶表示装置に表示される画像の一例であり、背景が黒色（ドット部）でありオブジェクト「Ａ」が白色である画像を示す。図１４Ａの（ｂ）は、図１４Ａの（ａ）に示す画像を斜め視野から見た場合を示している。図１４Ａの（ｂ）は、ドット部が黒色を表示する画素であり、ドットが形成されていない部分は、白色を表示する画素を示している。図１４Ａの（ａ）が示す１マスは、１画素を示す。
【００１３】
図１４Ａの（ａ）は、明暗の差又は比が大きい（例えば、コントラストが高い）画像を示している。図１４Ａの（ａ）の場合、液晶表示装置を斜め視野から見ると、白色のオブジェクトと黒色の背景との境界に、薄暗い領域（２重像）が形成される。
【００１４】
図１４Ａの（ｂ）に示すように、液晶表示装置は、第１液晶パネル１０００と第２液晶パネル１０１０とを有する。第１液晶パネル１０００は、第２液晶パネル１０１０より観察者に近い位置に配置される。つまり、監視者は、第１液晶パネル１０００側から画像を見る。また、「Ｍ表示」は、第１液晶パネル１０００（メインパネル）の表示を示しており、「Ｓ表示」は、第２液晶パネル１０１０（サブパネル）の表示を示している。
【００１５】
例えば、光Ｌ１０１は、第１液晶パネル１０００及び第２液晶パネル１０１０とも白色の画素を透過した光である。このとき、観察者は、光Ｌ１０１が白く見える。光Ｌ１０１は、観察者が第１液晶パネル１０００を正面から見た場合に、第２液晶パネル１０１０の白色の画素から出た光と同様の見栄えとなる。つまり、光Ｌ１０１は正面から見た場合と斜めから見た場合とで同様に画像に見える（つまり、同様の明るさである）ので、画質品位の低下には影響しない。図中において、「ＯＫ」と示す。
【００１６】
なお、白色の画素とは、例えば、明るさが明るい画素を意味する。つまり、必ずしも白色を表示していることに限定されない。また、以降に示す黒色の画素とは、例えば、白色の画素より明るさが暗い画素を意味する。
【００１７】
また、例えば、光Ｌ１００は、第１液晶パネル１０００の白色の画素及び第２液晶パネル１０１０の黒色の画素を透過した光である。このとき、観察者は、光Ｌ１００が薄暗く見える。光Ｌ１００は、観察者が第１液晶パネル１０００を正面から見た場合に、第２液晶パネル１０１０の黒色の画素から出た光と見栄えが異なる。具体的には、光Ｌ１００は、第１液晶パネル１０００を正面から見た場合に比べ、明るく見える（例えば、薄暗く見える）。つまり、光Ｌ１００により２重像が見えており、図中において、「ＮＧ」と示す。
【００１８】
また、例えば、光Ｌ１０２の光は、第１液晶パネル１０００の黒色の画素及び第２液晶パネル１０１０の白色の画素を透過した光である。このとき、観察者は、光Ｌ１０２が薄暗く見える。光Ｌ１０２は、観察者が第１液晶パネル１０００を正面から見た場合に、第２液晶パネル１０１０の白色の画素から出た光と見栄えが異なる。具体的には、光Ｌ１０２は、第１液晶パネル１０００を正面から見た場合に比べ、暗く見える（例えば、薄暗く見える）。つまり、光Ｌ１０２により２重像が見えており、図中において、「ＮＧ」と示す。
【００１９】
図１４Ｂは、従来例に係る液晶表示装置において視認される２重像の他の一例を示す図である。図１４Ｂの（ａ）は、液晶表示装置に表示される画像の他の一例であり、背景が白色でありオブジェクト「Ａ」が黒色（ドット部）である画像を示す。図１４Ｂの（ｂ）は、図１４Ｂの（ａ）に示す画像を斜め視野から見た場合を示している。
【００２０】
図１４Ｂの（ａ）は、明暗の差又は比が大きい（例えば、コントラストが高い）画像を示している。図１４Ｂの（ａ）の場合、液晶表示装置を斜め視野から見ると、黒色のオブジェクトと白色の背景との境界に、薄暗い領域（２重像）が形成される。
【００２１】
図１４Ｂの（ｂ）に示すように、図１４Ａの（ｂ）と同様に光Ｌ１０３及びＬ１０４により２重像が見えてしまう。
【００２２】
上記のように、液晶表示装置がコントラストの高い画像を表示している場合、観察者が第１液晶パネル１０００を正面から見ると２重像は見えないが、斜めから見ると視差により２重像（薄暗く見える領域）が見えてしまう。
【００２３】
図１４Ｃは、従来例に係る液晶表示装置において２重像が視認されにくい一例を示す図である。図１４Ｃの（ａ）は、液晶表示装置に表示される画像の一例であり、背景が灰色（ドット部）でありオブジェクト「Ａ」が白色である画像を示す。図１４Ｃの（ｂ）は、図１４Ｃの（ａ）に示す画像を斜め視野から見た場合を示している。
【００２４】
図１４Ｃの（ａ）は、明暗の差又は比が図１４Ａ及び図１４Ｂに示す画像に比べ小さい（例えば、コントラストが低い）画像を示している。図１４Ｃの（ａ）の場合、液晶表示装置を斜め視野から見ると、白色のオブジェクトと灰色の背景との境界に、薄暗い領域（２重像）が形成されにくい。
【００２５】
図１４Ｃの（ｂ）に示すように、図１４Ａの（ｂ）及び図１４Ｂの（ｂ）と異なり、光Ｌ１０５及びＬ１０６による２重像が見えにくい。
【００２６】
上記のように、液晶表示装置がコントラストの低い画像を表示している場合、観察者が第１液晶パネル１０００を正面から見ても斜めから見ても、２重像は見えない。
【００２７】
上記特許文献１に記載の液晶表示装置においては、上記の画像による２重像の見え方の違いについては考慮されておらず、斜め視野から映像を見たときに２重像が見えて画像品位の低下することが起こりうる。
【００２８】
本願発明者は、上記の検証により、明暗の差又は比が大きい画像において２重像が発生しやすく、明暗の差又は比が大きい画像において２重像の発生を抑制することで、効果的に液晶表示装置の画像品位を向上させることを見出した。
【００２９】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００３０】
なお、各図は模式図であり、必ずしも厳密に図示されたものではない。また、各図において、実質的に同一の構成に対しては同一の符号を付し、重複する説明は省略または簡略化される場合がある。
【００３１】
また、本明細書及び図面において、Ｘ軸、Ｙ軸及びＺ軸は、三次元直交座標系の三軸を表しており、Ｘ軸及びＹ軸は、互いに直交し、かつ、いずれもＺ軸に直交する軸である。説明の便宜上、前後方向をＸ軸方向と一致させ、左右方向をＹ軸方向と一致させ、上下方向をＺ軸方向と一致させ、重力方向（下方向）をＺ軸マイナス方向と一致させているが、この対応付けは、本開示に係る液晶表示装置の製造時又は使用時における姿勢を限定するものではない。また、例えば、以下の実施の形態において、「平面視」とは、Ｘ軸方向から見ることを意味する。
【００３２】
また、本明細書において、平行などの要素間の関係性を示す用語、および、矩形などの要素の形状を示す用語、並びに、数値範囲は、厳格な意味のみを表す表現ではなく、実質的に同等な範囲、例えば数％程度の差異をも含むことを意味する表現である。
【００３３】
（実施の形態）
以下、本実施の形態に係る液晶表示装置について、図１〜図１１を参照しながら説明する。
【００３４】
［１．液晶表示装置の構成］
まずは、本実施の形態に係る液晶表示装置１０の構成について、図１〜図１０を参照しながら説明する。液晶表示装置１０は、静止画及び動画（以下、これらをまとめて画像とも記載する）を表示する表示装置である。液晶表示装置１０は、例えば、液晶テレビであるがこれに限定されない。また、液晶表示装置１０は、複数の液晶パネルが重ね合わせられた表示部を備え、複数の液晶パネルのそれぞれに画像を表示することで液晶表示装置１０として１つの画像(表示画像)を表示する表示装置である。なお、液晶表示装置は、画像表示装置の一例である。
【００３５】
図１は、本実施の形態に係る液晶表示装置１０の外観斜視図である。図２は、図１のＩＩ−ＩＩ線における、本実施の形態に係る液晶表示装置１０の断面図である。図３は、本実施の形態に係る液晶表示装置１０の概略構成を示す模式図である。
【００３６】
図１〜図３に示すように、液晶表示装置１０は、液晶表示部１００と、信号処理部２２０と、パネルホルダ２３０と、バックライトユニット２４０と、筐体２５０と、スタンド２６０とを備える。
【００３７】
図２に示すように、液晶表示部１００は、第１液晶表示モジュール１１０と、第２液晶表示モジュール１６０とを有する。第１液晶表示モジュール１１０は、第１液晶表示部１２０と、第１タイミングコントローラ１５１とを有する。第２液晶表示モジュール１６０は、第２液晶表示部１７０と第２タイミングコントローラ２０１とを有する。本開示における液晶表示装置１０は、２枚の液晶パネルが貼り合わされて構成される液晶表示部１００を備える。なお、液晶表示装置１０が備える液晶パネルは、２枚に限定されず、３枚以上であってもよい。液晶表示部１００は、表示部の一例である。
【００３８】
第１液晶表示部１２０は、第１液晶パネル１３０と、第１ソースＦＰＣ１４１と、第１ソースドライバ１４２と、第１ソース基板１４３と、第１制御ＦＰＣ１４４と、第１ゲートドライバ１４５と、第１制御基板１５０とを有する表示モジュールである。第１液晶パネル１３０は、第２液晶パネル１８０より観察者に近い位置（前側）に配置されたメインパネルであり、ユーザが視認する画像を表示する。なお、第１液晶表示部１２０は、上記の構成要素を全て有することに限定されず、少なくとも第１液晶パネル１３０を有していればよい。また、第１液晶パネル１３０は、第１表示パネルの一例である。
【００３９】
第１液晶パネル１３０は、ユーザが視認する画像としてカラー画像を表示する。第１液晶パネル１３０は、液晶が封入された液晶セルを備える液晶パネルである。第１液晶パネル１３０には、第１ソースＦＰＣ１４１及び第１ゲートＦＰＣ（図示しない）が接続されている。第１ソースＦＰＣ１４１及び第１ゲートＦＰＣは、例えば、異方性導電性フィルム（ＡＣＦ：Ａｎｉｓｏｔｒｏｐｉｃ  Ｃｏｎｄｕｃｔｉｖｅ  Ｆｉｌｍ）を用いた熱圧着によって第１液晶パネル１３０の各種信号線の電極端子と接続されている。
【００４０】
第１ソースＦＰＣ１４１には、第１ソースドライバ１４２が実装されており、第１ゲートＦＰＣには、第１ゲートドライバ１４５が実装されている。また、第１ソースＦＰＣ１４１には、第１ソース基板１４３が接続されている。第１ソース基板１４３は、複数の電子部品が実装されたプリント基板（ＰＣＢ：Ｐｒｉｎｔｅｄ  Ｃｉｒｃｕｉｔ  Ｂｏａｒｄ）であり、第１制御基板１５０に実装された第１タイミングコントローラ１５１から出力された各種信号を第１ソースＦＰＣ１４１の第１ソースドライバ１４２に伝達する機能を有する。なお、第１液晶パネル１３０の駆動方式は、例えばＩＰＳ方式等の横電界方式であるが、これに限るものではなく、ＶＡ（Ｖｅｒｔｉｃａｌ  Ａｌｉｇｎｍｅｎｔ）方式又はＴＮ（Ｔｗｉｓｔｅｄ  Ｎｅｍａｔｉｃ）方式等であってもよい。
【００４１】
第１タイミングコントローラ１５１は、信号処理部２２０から出力される画像データ（例えば、第１出力画像データ）と制御信号とに基づいて、第１ソースドライバ１４２及び第１ゲートドライバ１４５に出力する各種信号（画像データ信号及び第１ソースドライバ１４２及び第１ゲートドライバ１４５の駆動を制御するためのタイミング信号）を生成する。第１タイミングコントローラ１５１は、画像データ及びタイミング信号を第１ソースドライバ１４２に出力し、タイミング信号を第１ゲートドライバ１４５に出力する。第１ソースドライバ１４２には、第１ソース基板１４３を介して各種信号が入力される。
【００４２】
第１ソースドライバ１４２は、入力されたタイミング信号に基づいて、画像データ信号に応じたデータ電圧（データ信号）を第１液晶パネル１３０のソース配線（図示しない）に出力する。また、第１ゲートドライバ１４５は、タイミング信号に基づいて、ゲート電圧（ゲート信号）を第１液晶パネル１３０のゲート配線（図示しない）に出力する。これにより、カラー画像が第１液晶パネル１３０に表示される。
【００４３】
第２液晶表示部１７０は、第２液晶パネル１８０と、第２ソースＦＰＣ１９１と、第２ソースドライバ１９２と、第２ソース基板１９３と、第２制御ＦＰＣ１９４と、第２ゲートドライバ１９５と、第２制御基板２００とを有する表示モジュールである。第２液晶パネル１８０は、第１液晶パネル１３０よりも観察者から遠い位置（後側）に配置されたサブパネルである。具体的には、第２液晶パネル１８０は、第１液晶パネル１３０よりも観察者から遠い位置に配置される。なお、第２液晶表示部１７０は、上記の構成要素を全て有することに限定されず、少なくとも第２液晶パネル１８０を有していればよい。また、第２液晶パネル１８０は、第２表示パネルの一例である。
【００４４】
第２液晶パネル１８０は、第１液晶パネル１３０に表示されるカラー画像に対応した画像のモノクロ画像（白黒画像）を、そのカラー画像に同期させて表示する。第２液晶パネル１８０は、液晶が封入された液晶セルを備える液晶パネルである。第２液晶パネル１８０は、第２ソースＦＰＣ１９１及び第２ゲートＦＰＣ（図示しない）が接続されている。第２ソースＦＰＣ１９１及び第２ゲートＦＰＣは、例えば、異方性導電性フィルムを用いた熱圧着によって第２液晶パネル１８０の各種信号線の電極端子と接続されている。
【００４５】
第２ソースＦＰＣ１９１には、第２ソースドライバ１９２が実装されており、第２ゲートＦＰＣには、第２ゲートドライバ１９５が実装されている。また、第２ソースＦＰＣ１９１には、第２ソース基板１９３が接続されている。第２ソース基板１９３は、複数の電子部品が実装されたプリント基板（ＰＣＢ）であり、第２制御基板２００に実装された第２タイミングコントローラ２０１から出力された各種信号を第２ソースＦＰＣ１９１の第２ソースドライバ１９２に伝達する機能を有する。
【００４６】
第２タイミングコントローラ２０１は、信号処理部２２０から出力される画像データ（例えば、第２出力画像データ）と制御信号とに基づいて、第２ソースドライバ１９２及び第２ゲートドライバ１９５に出力する各種信号（画像データ信号及び第２ソースドライバ１９２及び第２ゲートドライバ１９５の駆動を制御するためのタイミング信号）を生成する。第２タイミングコントローラ２０１は、画像データ及びタイミング信号を第２ソースドライバ１９２に出力し、タイミング信号を第２ゲートドライバ１９５に出力する。第２ソースドライバ１９２には、第２ソース基板１９３を介して各種信号が入力される。
【００４７】
第２ソースドライバ１９２は、入力されたタイミング信号に基づいて、画像データ信号に応じたデータ電圧（データ信号）を第２液晶パネル１８０のソース配線（図示しない）に出力する。また、第２ゲートドライバ１９５は、タイミング信号に基づいて、ゲート電圧（ゲート信号）を第２液晶パネル１８０のゲート配線（図示しない）に出力する。これにより、モノクロ画像が第２液晶パネル１８０に表示される。
【００４８】
第１液晶パネル１３０及び第２液晶パネル１８０は、マトリクス状に区画された複数の画素によって構成されている。第１液晶パネル１３０の画素数と第２液晶パネル１８０の画素数とは同じであってもよいし異なっていてもよいが、メインパネルである第１液晶パネル１３０における画素数と、サブパネルである第２液晶パネル１８０における画素数とを同じにするとよい。例えば、第１液晶パネル１３０における画素と第２液晶パネル１８０における画素とは、一対一に設けられてもよい。例えば、第１液晶パネル１３０における画素と第２液晶パネル１８０における画素とが重なるように配置され、画素の大きさは互いに等しい。以降においては、第１液晶パネル１３０における画素と第２液晶パネル１８０における画素とが重なるように配置される例について説明する。なお、第１液晶パネル１３０が有する画素は第１画素の一例であり第２液晶パネル１８０が有する画素は第２画素の一例である。
【００４９】
また、第１液晶パネル１３０を構成する複数の画素のそれぞれは、複数のサブ画素を有する。例えば、複数のサブ画素はそれぞれ、異なる色の光を出射する。本実施の形態では、複数の画素のそれぞれは３つのサブ画素を有する。具体的には、複数の画素のそれぞれは、赤色を出射するサブ画素（Ｒ画素）、緑色を出射するサブ画素（Ｇ画素）、及び、青色を出射するサブ画素（Ｂ画素）を有する。
【００５０】
第１液晶パネル１３０と第２液晶パネル１８０とは接着層２１０によって貼り合わされている。つまり、第２液晶パネル１８０は、第１液晶パネル１３０に重ね合わせられる。具体的には、第１液晶パネル１３０の裏面側の偏光板（図４に示すＸ軸マイナス側の第１偏光板１３３）と第２液晶パネル１８０の前面側の偏光板（図４に示すＸ軸プラス側の第２偏光板１８３）とが接着層２１０によって接着されている。接着層２１０としては、例えば、ＯＣＡ等の透明接着剤を用いることができる。なお、第１液晶パネル１３０と第２液晶パネル１８０とが所定の空間を開けて固定されている場合も、第１液晶パネル１３０と第２液晶パネル１８０とが重ね合わされていることに含まれる。
【００５１】
ここで、図４を用いて、液晶表示装置１０の詳細な構成を説明する。図４は、本実施の形態に係る液晶表示装置１０の拡大断面図である。図４は、図３の破線で囲まれる領域ＩＶを拡大して示している。
【００５２】
まず、第１液晶パネル１３０について説明する。図４に示すように、第１液晶パネル１３０は、一対の第１透明基板１３１と、第１液晶層１３２と、一対の第１偏光板１３３とを有する。
【００５３】
一対の第１透明基板１３１の各々は、例えばガラス基板であり、互いに対面するように配置されている。本実施の形態において、一対の第１透明基板１３１のうち第２液晶パネル１８０側の位置する第１透明基板１３１がＴＦＴ（Ｔｈｉｎ  Ｆｉｌｍ  Ｔｒａｎｓｉｓｔｏｒ）等を形成するためのＴＦＴ基板である第１ＴＦＴ基板１３１ａであり、一対の第１透明基板１３１のうち第２液晶パネル１８０側とは反対側に位置する第１透明基板１３１が第１対向基板１３１ｂである。
【００５４】
第１ＴＦＴ基板１３１ａの第１液晶層１３２側の面には、ＴＦＴ又は配線等が設けられた第１ＴＦＴ層１３４が形成されている。また、第１ＴＦＴ層１３４の平坦化層上には、第１液晶層１３２に電圧を印加するための画素電極が形成されている。本実施の形態では第１液晶パネル１３０がＩＰＳ方式により駆動されるので、第１ＴＦＴ基板１３１ａには、画素電極だけではなく、対向電極も形成されている。ＴＦＴ、画素電極及び対向電極等は、画素ごとに形成されている。また、画素電極及び対向電極を覆うように配向膜が形成されている。
【００５５】
第１対向基板１３１ｂは、カラーフィルタ１３５ｂが形成されたカラーフィルタ基板（ＣＦ基板）であり、第１対向基板１３１ｂの第１液晶層１３２側の面には、第１ブラックマトリクス１３５ａ及びカラーフィルタ１３５ｂを有する第１画素形成層１３５が形成されている。
【００５６】
第１液晶層１３２は、一対の第１透明基板１３１の間に封止されている。第１液晶層１３２の液晶材料は、駆動方式に応じて適宜選択することができる。第１液晶層１３２の厚さは、例えば、２．５μｍ〜６μｍであるが、これに限るものではない。
【００５７】
第１画素形成層１３５は、一対の第１透明基板１３１の間に配置されている。つまり、第１ブラックマトリクス１３５ａ及びカラーフィルタ１３５ｂは、一対の第１透明基板１３１の間に配置されている。第１ブラックマトリクス１３５ａには、画素を構成するマトリクス状の複数の第１開口部が形成されている。つまり、複数の第１開口部の各々は、複数の画素の各々に対応している。第１ブラックマトリクス１３５ａは、例えば、各第１開口部の平面視形状が矩形状となるように、格子状に形成されている。
【００５８】
カラーフィルタ１３５ｂは、第１ブラックマトリクス１３５ａの第１開口部の内部に形成されている。カラーフィルタ１３５ｂは、例えば、赤色用のカラーフィルタ、緑色用のカラーフィルタ、及び、青色用のカラーフィルタによって構成されている。各色のカラーフィルタは、各画素に対応している。
【００５９】
第１液晶層１３２の液晶材料は、駆動方式に応じて適宜選択することができる。第１液晶層１３２の厚さは、例えば、２．５μｍ〜６μｍであるが、これに限るものではない。
【００６０】
一対の第１偏光板１３３は、樹脂材料からなるシート状の偏光フィルムであり、一対の第１透明基板１３１を挟むように配置されている。一対の第１偏光板１３３は、偏光方向が互いに直交するように配置されている。つまり、一対の第１偏光板１３３は、クロスニコルで配置されている。一対の第１偏光板１３３の各々の厚さは、例えば、０．０５ｍｍ〜０．５ｍｍであるが、これに限るものではない。
【００６１】
次に、第２液晶パネル１８０について説明する。第２液晶パネル１８０は、一対の第２透明基板１８１と、第２液晶層１８２と、一対の第２偏光板１８３とを有する。
【００６２】
一対の第２透明基板１８１の各々は、例えばガラス基板であり、互いに対面するように配置されている。本実施の形態において、一対の第２透明基板１８１のうちバックライトユニット２４０側に位置する第２透明基板１８１が第２ＴＦＴ基板１８１ａであり、一対の第２透明基板１８１のうち第１液晶パネル１３０側に位置する第２透明基板１８１が第２対向基板１８１ｂである。第２ＴＦＴ基板１８１ａは、第１液晶パネル１３０の第１ＴＦＴ基板１３１ａと同様の構成である。したがって、第２ＴＦＴ基板１８１ａの第２液晶層１８２側の面には第２ＴＦＴ層１８４が形成されており、第２ＴＦＴ層１８４の平坦化層上には画素ごとに画素電極及び対向電極が形成されている。
【００６３】
第２対向基板１８１ｂの第２液晶層１８２側の面には、第２ブラックマトリクス１８５ａを有する第２画素形成層１８５が形成されている。第２画素形成層１８５は、一対の第２透明基板１８１の間に配置されている。つまり、第２ブラックマトリクス１８５ａは、一対の第２透明基板１８１の間に配置されている。
【００６４】
第２液晶層１８２は、一対の第２透明基板１８１の間に封止されている。第２液晶層１８２の厚さは、例えば、２．５μｍ〜６μｍであるが、これに限るものではない。
【００６５】
第２ブラックマトリクス１８５ａには、画素を構成するマトリクス状の複数の第２開口部が形成されている。つまり、複数の第２開口部の各々は、複数の画素の各々に対応している。第２ブラックマトリクス１８５ａは、例えば、各第２開口部の平面視形状が矩形状となるように、格子状に形成されている。
【００６６】
一対の第２偏光板１８３は、樹脂材料からなるシート状の偏光フィルムであり、一対の第２透明基板１８１を挟むように配置されている。一対の第２偏光板１８３は、クロスニコルで配置されている。一対の第２偏光板１８３の各々の厚さは、例えば、０．０５ｍｍ〜０．５ｍｍであるが、これに限るものではない。
【００６７】
第１液晶パネル１３０と第２液晶パネル１８０との間隔ｄは、例えば、第１液晶パネル１３０の第１画素形成層１３５と第２液晶パネル１８０の第２画素形成層１８５との距離として定義される。間隔ｄは、例えば、第１画素形成層１３５、第１液晶層１３２、第１ＴＦＴ層１３４、第１ＴＦＴ基板１３１ａ、第１偏光板１３３、接着層２１０、第２偏光板１８３、第２対向基板１８１ｂなどの厚みにより決定される。間隔ｄは、例えば、０．４ｍｍ〜１．０ｍｍ程度である。
【００６８】
図３を再び参照して、信号処理部２２０は、外部のシステム（図示せず）から送信された入力画像データ（例えば、入力画像信号）を取得し、所定の画像処理を実行した後、第１タイミングコントローラ１５１にカラー画像を表示するための画像データ（第１出力画像データの一例）を出力するとともに、第２タイミングコントローラ２０１にモノクロ画像を表示するための画像データ（第２出力画像データの一例）を出力する。つまり、信号処理部２２０は、取得した入力画像データに基づいて、第１液晶パネル１３０に対応する第１出力画像データと第２液晶パネル１８０に対応する第２出力画像データとを生成し、生成した第１出力画像データを第１液晶パネル１３０に出力し、かつ生成した第２出力画像データを第２液晶パネル１８０に出力する。詳細は後述するが、本開示は、信号処理部２２０の処理に特徴を有する。
【００６９】
第１液晶パネル１３０が第１出力画像データにより表示する画像は、第１画像であり、第２液晶パネル１８０が第２出力画像データにより表示する画像は、第２画像である。第１画像と第２画像とで、表示画像が生成される。
【００７０】
また、信号処理部２２０は、第１タイミングコントローラ１５１と第２タイミングコントローラ２０１とに、第１液晶パネル１３０で表示させるカラー画像と第２液晶パネル１８０で表示させるモノクロ画像とを同期させるための同期信号を含む制御信号を出力する。
【００７１】
信号処理部２２０は、ＣＰＵ（Ｃｅｎｔｒａｌ  Ｐｒｏｃｅｓｓｉｎｇ  Ｕｎｉｔ）等の演算処理回路と、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等のメモリとを備える制御装置である。信号処理部２２０は、ＣＰＵがメモリに格納されたプログラムを読み出して実行することにより、後述する各種の処理を実行する。
【００７２】
パネルホルダ２３０は、液晶表示部１００を支持し、かつ、光学シート２４１及び基板２４２を、バックライトシャーシ２４４とで挟持する。
【００７３】
バックライトユニット２４０は、液晶表示装置１０が備える光源である。バックライトユニット２４０は、第２液晶パネル１８０に対して第１液晶パネル１３０と反対側（Ｘ軸マイナス側）に配置される。つまり、バックライトユニット２４０は、第２液晶パネル１８０より観察者から遠い位置に配置され、第１液晶パネル１３０及び第２液晶パネル１８０に向けて光を出射する。図２に示すように、バックライトユニット２４０は、光学シート２４１と、基板２４２と、発光素子２４３と、バックライトシャーシ２４４とを有する。
【００７４】
光学シート２４１は、例えば、複数種類の光学特性の異なるシートを重ねて構成される。光学特性の異なるシートとは、例えば、縦方向のプリズムシート、横方向のプリズムシート、及び拡散シートである。これにより、点光源である発光素子２４３（例えば、ＬＥＤ：Ｌｉｇｈｔ  Ｅｍｉｔｔｉｎｇ  Ｄｉｏｄｅ）の配光を変えて第１液晶パネル１３０及び第２液晶パネル１８０全体にほぼ均一な配光で光を照射することができる。
【００７５】
基板２４２は、液晶表示装置１０のバックライトの光源である複数の発光素子２４３が配置される基板である。基板２４２は、例えば、メタルベース基板、セラミック基板、又は、樹脂基板であってもよい。本実施の形態では、基板２４２は、第２液晶パネル１８０の後側に配置される。
【００７６】
発光素子２４３は、バックライトユニット２４０の光源であり、光を発する素子である。発光素子２４３は、例えば、青色光を発する青色ＬＥＤチップである。発光素子２４３としては、例えば、ＩｎＧａＮ系の材料によって構成された、中心波長（発光スペクトルのピーク波長）が４３０ｎｍ以上４８０ｎｍ以下の窒化ガリウム系のＬＥＤチップが採用される。
【００７７】
バックライトシャーシ２４４は、上述のパネルホルダ２３０とで、光学シート２４１及び基板２４２を挟持する。
【００７８】
なお、本実施の形態において、バックライトユニット２４０は、発光素子２４３としてＬＥＤチップを光源とするＬＥＤバックライトであるが、これに限るものではない。また、バックライトユニット２４０は、液晶表示部１００に対面するように発光素子２４３が基板２４２上に二次元状に配列された直下型のＬＥＤバックライトであるが、エッジ型であってもよい。
【００７９】
筐体２５０は、液晶表示部１００（具体的には、第１液晶パネル１３０）の前面以外の部分を覆う。筐体２５０は、ポリカーボネートやポリスチレン等の樹脂やアルミニウム合金等の金属が用いられる。
【００８０】
スタンド２６０は、各構成要素が収容された筐体２５０を支持する。
【００８１】
ここで、信号処理部２２０の構成について、さらに図５を参照しながら説明する。図５は、本実施の形態に係る信号処理部２２０の機能構成を示すブロック図である。
【００８２】
図５に示すように、信号処理部２２０は、特徴量取得部２２１とサイズ計算部２２２と、輝度情報取得部２２３と、ガンマ補正部２２４と、拡張部２２５と、除算処理部２２６と、乗算器２２７とを備える。
【００８３】
特徴量取得部２２１は、取得した入力画像データが示す画像を互いに重ならない複数の仮想ブロックに分割し、複数の仮想ブロックそれぞれについて当該仮想ブロック内の画像における明暗の差又は比を示す特徴量を取得する処理部である。図６は、本実施の形態に係る信号処理部２２０が画像を複数の仮想ブロックに分割した様子を示す模式図である。
【００８４】
図６は、画像が複数の仮想ブロック２７０に分割された様子を示している。図６では、１画像が縦４分割、横４分割された例を示しているが、分割数は特に限定されない。また、図６では、複数の仮想ブロック２７０のそれぞれが同じ形状である例を示しているが、これに限定されない。特徴量取得部２２１は、画像の中央部と周辺部とで、仮想ブロック２７０の大きさを変えてもよい。特徴量取得部２２１は、例えば、人が注視しやすい画像の中央部の仮想ブロック２７０の大きさを画像の周辺部の仮想ブロック２７０の大きさより小さく設定してもよい。また、仮想ブロック２７０の形状は、矩形であることに限定されず、正方形であってもよいし、多角形であってもよいし、円形であってもよい。また、１画像において、異なる形状の仮想ブロック２７０が混在していてもよい。なお、複数の仮想ブロック２７０のそれぞれは、２以上の画素１３０ａ（画素群）を含んで構成される。仮想ブロック２７０は、以下に示す第２液晶パネル１８０が表示する画像にフィルタ処理（例えば、後述する第３領域Ｒ３を拡張する処理）を行うために設定される仮想的な領域である。
【００８５】
特徴量は、例えば、画像の明暗の差又は比であり、コントラスト又はコントラストに相当する値である。特徴量は、例えば、仮想ブロック２７０それぞれに当該仮想ブロック２７０に含まれる２以上の画素１３０ａの最大輝度と最小輝度との比であってもよいし、最大輝度と最小輝度との差であってもよい。特徴量取得部２２１は、仮想ブロック２７０に含まれる２以上の画素１３０ａの最大輝度と最小輝度との差又は比を算出することで明暗の差又は比を示す特徴量を取得する。
【００８６】
なお、特徴量を算出するために用いられる輝度は、当該仮想ブロック２７０内における最大輝度と最小輝度とに限定されない。特徴量取得部２２１は、当該仮想ブロック２７０における画像の明暗の差又は比がわかれば、上記輝度以外の輝度を用いて特徴量を算出してもよい。明るい方の輝度は、最大輝度に限定されず、２番目に明るい輝度であってもよいし、３番目に明るい輝度であってもよいし、複数の明るい輝度（例えば、１つの仮想ブロック２７０内における明るさが高い上位５つの輝度）の平均値又は中央値などであってもよい。また、最小輝度においても同様である。
【００８７】
特徴量取得部２２１は、例えば入力画像データ（ＲＧＢ画像信号）を輝度信号及び色差信号に変換することで、複数の画素１３０ａそれぞれの輝度値を取得する。特徴量取得部２２１は、入力画像データを、ＹＵＶ信号、ＹＣｂＣｒ信号又はＹＰｂＰｒ信号に変換することで輝度値を取得する。特徴量取得部２２１は、取得した複数の仮想ブロック２７０それぞれの特徴量をサイズ計算部２２２に出力する。以降において、特徴量は、最大輝度と最小輝度との差分である例を説明する。
【００８８】
なお、特徴量取得部２２１は、例えば、従来から行われている画質調整処理を行ってから特徴量を算出してもよい。特徴量取得部２２１は、例えば、色（色相、彩度、明度）調整、階調補正、輪郭強調補正、ノイズ除去などの処理を行ってもよい。また、特徴量取得部２２１が取得する入力画像データは、画質調整処理が行われた画像データであってもよい。なお、特徴量取得部２２１は、取得部の一例である。
【００８９】
サイズ計算部２２２は、拡張部２２５のフィルタサイズを複数の仮想ブロック２７０それぞれについて決定する処理部である。サイズ計算部２２２は、例えば、拡張部２２５における第２液晶パネル１８０の画像の白表示領域又は黒表示領域を膨らませるときの膨らませ量を決定する決定部である。白表示領域又は黒表示領域を膨らませる処理は、視差による２重像が見えることを抑制するための処理である。なお、以下においては、第３領域Ｒ３が白表示領域であり、当該白表示領域を拡張する例について説明する。また、膨らませ量とは、第２液晶パネル１８０において、後述する注目画素（図９に示す注目画素１８０ａを参照）を周囲画素(図９に示す周囲画素１８０ｂ)に拡張するときの画素数又は範囲である。
【００９０】
白表示領域は、第２液晶パネル１８０が所定値以上の透過率で表示を行っている領域、つまり明るい領域である。白表示領域は、例えば、後述する第４輝度より輝度値が高い領域であり、例えば、図１０の（ａ）に示す第３領域Ｒ３である。また、黒表示領域は、第２液晶パネル１８０が所定値より低い透過率で表示を行っている領域、つまり暗い領域である。黒表示領域は、例えば、第４輝度より輝度値が低い領域であり、例えば、図１０の(ａ)に示す第４領域Ｒ４である。
【００９１】
なお、詳細は後述するが、サイズ計算部２２２は、特徴量取得部２２１から取得した複数の仮想ブロック２７０それぞれの特徴量に基づいて、複数の仮想ブロック２７０それぞれの膨らませ量を取得する。図７は、本実施の形態に係る特徴量と膨らませ量との関係の一例を示す図である。具体的には、最大輝度と最小輝度との差（以降において、輝度差とも記載する）と、膨らませ量との関係を示す図である。
【００９２】
図７に示すように、サイズ計算部２２２は、特徴量が閾値以上である仮想ブロック２７０において、当該仮想ブロック２７０内における白表示領域を増加させるように、フィルタサイズを大きくする膨らませ量を決定する。サイズ計算部２２２は、特徴量（例えば、輝度差）と図７に示す関係とから、当該特徴量に対応する膨らませ量を計算することで、膨らませ量を決定する。また、サイズ計算部２２２は、例えば、特徴量が高いほど、白表示領域を大きく増加させる。つまり、サイズ計算部２２２は、特徴量が高いほど、仮想ブロック２７０において後述する拡張フィルタ処理を行うときのフィルタサイズを大きく決定することで、第３領域Ｒ３を広く拡張させる。また、サイズ計算部２２２は、例えば、特徴量が閾値未満である場合、白表示領域を増加させない。
【００９３】
なお、図７に示す特徴量と膨らませ量との関係は一例であり、これに限定されない。例えば、特徴量と膨らませ量との関係は折れ線ではなく直線であってもよいし、右上がりの曲線であってもよい。また、閾値は、設けられなくてもよい。
【００９４】
サイズ計算部２２２は、複数の仮想ブロック２７０それぞれに算出した膨らませ量（例えば、フィルタを膨らませる量であり、図５に示すフィルタサイズ情報）を拡張部２２５に出力する。なお、サイズ計算部２２２は、特徴量が閾値未満である場合、例えば、当該仮想ブロック２７０において白表示領域を増加させない（膨らませ量がゼロである）ことを示す情報を出力してもよい。
【００９５】
輝度情報取得部２２３は、入力画像データに基づいて、複数の画素それぞれのＲＧＢの最大値から１枚のモノクロ画像（例えば、グレースケール画像）を生成する。輝度情報取得部２２３は、モノクロ画像データ（モノクロ画像信号）をガンマ補正部２２４に出力する。モノクロ画像データは、第２出力画像データを生成するための画像データの一例である。
【００９６】
ガンマ補正部２２４は、モノクロ画像データを、第２液晶パネル１８０のガンマ特性に合うようにガンマ補正を行い、ガンマ補正したモノクロ画像データを拡張部２２５に出力する。図８は、入力輝度と出力輝度との関係の一例を示す図である。横軸は、入力データ（ここでは、モノクロ画像データ）の輝度を正規化した入力正規化輝度を示している。入力正規化輝度は、例えば、入力データとして想定される輝度の最小値を０、最大値を１として規定されてもよい。縦軸は、出力データ（ここでは、拡張部２２５に出力する信号）の輝度を正規化した出力正規化輝度を示している。出力正規化輝度は、例えば、出力データとして想定される輝度の最小値を０、最大値を１として算出される。また、入力データの輝度とは、当該入力データの画像の輝度であり、例えば、画素値である。
【００９７】
図８に示すように、ガンマ補正部２２４は、第２液晶パネル１８０に対応するガンマ特性（図中に示す破線）に基づいてモノクロ画像データをガンマ補正する。液晶表示装置１０が備える記憶部（図示しない）が図８の「第２液晶パネル」が示す特性に対応するガンマ変換テーブルを記憶しており、ガンマ補正部２２４は、当該ガンマ変換テーブルを記憶部から読み出し、モノクロ画像の各画素の輝度値（画素値）を入力値として取得し、ガンマ変換テーブルを参照して当該入力値に対応する出力値を取得することでガンマ変換を実行する。ガンマ補正テーブルは、ガンマ補正するためのＬＵＴ（ルックアップテーブル）の一例である。なお、図８の例では、第１液晶パネル１３０に対応するガンマ値は０．２である。また、ガンマ補正されたモノクロ画像データは、中間画像データの一例である。
【００９８】
図５を再び参照して、拡張部２２５は、特徴量が閾値以上である仮想ブロック２７０において、第２出力画像データを生成するための、入力画像データに基づくモノクロ画像データに基づいて第２出力画像データを生成する処理部である。具体的には、拡張部２２５は、サイズ計算部２２２から取得した膨らませ量及びガンマ補正部２２４から取得したモノクロ画像データに基づいて、第２出力画像データを生成する。
【００９９】
拡張部２２５は、後述する拡張フィルタ処理を行うフィルタ処理部２２５ａを有する。具体的には、拡張部２２５は、仮想ブロック２７０において、注目画素（図９に示す注目画素１８０ａ参照）と当該注目画素の周囲の画素（図９に示す周囲画素１８０ｂ参照）とからなる領域をフィルタサイズとして、当該フィルタサイズ内で輝度の最大値を注目画素の輝度に設定する処理を実行する。または、拡張部２２５は、仮想ブロック２７０において、注目画素と当該注目画素の周囲の画素とからなる領域をフィルタサイズとして、当該フィルタサイズ内の画素の輝度を注目画素の輝度に設定する処理を実行する。以降において、これらの処理を、拡張フィルタ処理とも記載する。また、上記のように、フィルタ処理部２２５ａは、例えば、いわゆるＭＡＸフィルタにより実現される。
【０１００】
拡張部２２５の処理について図９を参照しながら説明する。図９においては、注目画素１８０ａが白表示を行っている場合について説明する。なお、注目画素１８０ａが黒表示である場合についても同様の処理が行われる。
【０１０１】
図９は、本実施の形態に係る特徴量によるフィルタサイズを説明するための図である。図９の（ａ）は、拡張部２２５に入力されるモノクロ画像データが示す画像Ｐ１である。画像Ｐ１は、拡張部２２５による処理が行われる前の画像である。なお、図９において、便宜上、１つの仮想ブロック２７０に含まれる複数の画素が２５個である場合を図示している。また、注目画素１８０ａは、白表示を行う画素であり、周囲画素１８０ｂは、注目画素１８０ａの周囲の画素である。図９の例では、周囲画素１８０ｂの数は、２４個である。図９の（ｂ）〜図９の（ｄ）は、図９の（ａ）の注目画素１８０ａの明るさを周囲画素１８０ｂに広げるときのバリエーションを示している。また、周囲画素１８０ｂには、モノクロ画像データに示される明るさ（輝度）とは関係なく、予め定められた明るさが設定されていてもよい。例えば、周囲画素１８０ｂには、最低輝度となる明るさが設定される。また、サイズ計算部２２２は、仮想ブロック２７０の特徴量と、当該特徴量における膨らませ量（図７参照）とに基づいて、以下に示すフィルタサイズ２８０を決定する。
【０１０２】
図９の（ｂ）は、特徴量が低い（例えば、図７に示す輝度差ａ１である）場合の画像Ｐ２を示す。サイズ計算部２２２は、フィルタサイズ２８０を最も狭い範囲に決定する。図９の（ｂ）の例では、フィルタサイズ２８０は、注目画素１８０ａのみを含む範囲である。
【０１０３】
拡張部２２５は、仮想ブロック２７０における特徴量が低い場合、例えば、サイズ計算部２２２から当該仮想ブロック２７０において、白表示領域を増加させないことを示す情報（フィルタサイズ情報の一例）を取得するので、仮想ブロック２７０内の画素において、注目画素１８０ａのみが白表示を行うようにフィルタ処理部２２５ａのフィルタサイズを設定する。この場合、フィルタサイズ２８０は、注目画素１８０ａの輝度値を周囲画素１８０ｂに拡張しない。この場合、膨らませ量は、０画素である。
【０１０４】
図９の（ｃ）は、特徴量が中間（例えば、図７に示す輝度差ａ２（＞ａ１））である場合の画像Ｐ３を示す。サイズ計算部２２２は、フィルタサイズ２８０を特徴量が低い場合より広い範囲に決定する。図９の（ｃ）の例では、フィルタサイズ２８０は、注目画素１８０ａ及び上下左右のそれぞれ１画素ずつを含む範囲である。この場合、膨らませ量は、上下左右の各１画素である。
【０１０５】
拡張部２２５は、仮想ブロック２７０における特徴量が中間である場合、例えば、サイズ計算部２２２から当該仮想ブロック２７０において、白表示領域を１画素増加させることを示す情報を取得するので、注目画素１８０ａ及び注目画素１８０ａの上下左右の１画素を白表示とする。言い換えると、拡張部２２５は、注目画素１８０ａの上下左右の４個の周囲画素１８０ｂの明るさを注目画素１８０ａの明るさとするようにフィルタサイズ２８０を決定する。
【０１０６】
図９の（ｄ）は、特徴量が高い（例えば、図７に示す輝度差ａ３（＞ａ２））である場合の画像Ｐ４を示す。サイズ計算部２２２は、フィルタサイズ２８０を特徴量が中間である場合より広い範囲に決定する。図９の（ｄ）の例では、フィルタサイズ２８０は、注目画素１８０ａ、上下左右それぞれ２画素ずつ及び斜めそれぞれ１画素ずつを含む範囲である。この場合、膨らませ量は、上下左右それぞれ２画素ずつ及び斜めそれぞれ１画素ずつである。
【０１０７】
拡張部２２５は、仮想ブロック２７０における特徴量が高い場合、例えば、サイズ計算部２２２から当該仮想ブロック２７０においては、白表示領域を特徴量が中間である場合より多い２画素増加させることを示す情報を取得するので、注目画素１８０ａと注目画素１８０ａの上下左右のそれぞれ２画素ずつ及び斜めそれぞれ１画素ずつを白表示とする。言い換えると、拡張部２２５は、注目画素１８０ａの上下左右及び斜めの合計１２個の周囲画素１８０ｂの明るさを注目画素１８０ａの明るさとする。
【０１０８】
拡張部２２５は、上記の処理を仮想ブロック２７０に含まれる複数の画素の全てについて行う。図９の例では、２５個の画素の全てについて行う。つまり、１つの画素について、２５個の明るさの情報が付与される。拡張部２２５は、例えば、当該２５個の明るさの情報に基づいて当該画素の明るさを決定する。拡張部２２５は、例えば、当該２５個の明るさの最大値、最小値、平均値、又は中央値を当該画素の明るさとしてもよいし、当該２５個の明るさの合計値（例えば、輝度信号に基づく輝度値の合計値）に対応する明るさとしてもよい。
【０１０９】
なお、拡張部２２５は、注目画素１８０ａを中心とする矩形領域（例えば、図９の（ｂ）の例では、注目画素１８０ａと当該注目画素１８０ａの上下左右のそれぞれ１画素ずつを含む８個の周囲画素１８０ｂとから形成される矩形領域）の画素の明るさを注目画素１８０ａの明るさとしてもよい。
【０１１０】
なお、上記では、注目画素１８０ａの明るさを拡張する画素数が異なる例を示したが、拡張部２２５の処理は、これに限定されない。拡張部２２５は、例えば、周囲画素１８０ｂの明るさを、注目画素１８０ａの明るさに所定の係数をかけることで算出してもよい。所定の係数は、周囲画素１８０ｂそれぞれに設けられ、例えば、注目画素１８０ａに近い周囲画素１８０ｂほど高い値が設定される。所定の係数は、例えば０以上１以下の値である。拡張部２２５は、例えば、サイズ計算部２２２から取得した膨らませ量に応じて周囲画素１８０ｂそれぞれの所定の係数を変更してもよい。拡張部２２５は、例えば、膨らませ量が大きいほど、周囲画素１８０ｂそれぞれの所定の係数を高く設定してもよい。
【０１１１】
以上のように、本実施の形態に係る拡張部２２５は、注目画素１８０ａの明るさを周囲画素１８０ｂに広げることが可能なフィルタ回路（例えば、２次元フィルタ回路）により形成される。そして、拡張部２２５は、仮想ブロック２７０における特徴量に応じて注目画素１８０ａの明るさを広げる範囲を変更する点に特徴を有する。なお、拡張部２２５は、注目画素１８０ａの明るさを周囲画素１８０ｂに広げることができるものであれば、上記のフィルタに限定されない。
【０１１２】
図５を再び参照して、拡張部２２５は、上記の処理を行ったモノクロ画像データを第２液晶パネル１８０及び除算処理部２２６に出力する。第２液晶パネル１８０は、拡張部２２５から取得したモノクロ画像データに基づいて表示を行う。上記の処理を行ったモノクロ画像データは、第２出力画像データの一例である。
【０１１３】
除算処理部２２６は、取得したモノクロ画像データに基づいて第１液晶パネル１３０に出力される画像データに所定の処理を行うための情報を乗算器２２７に出力する処理部である。所定の処理とは、例えば、モノクロ画像データの各画素の輝度値（つまり、ガンマの補正後の輝度値）に対応する、入力画像データの輝度値の補正を行うための情報である。除算処理部２２６は、除算部の一例である。
【０１１４】
図８に示すように、除算処理部２２６は、第１液晶パネル１３０に対応するガンマ特性（図中に示す一点鎖線線）に基づいて入力画像データの各画素の輝度値を補正する。液晶表示装置１０が備える記憶部（図示しない）が図８の「第１液晶パネル」が示す特性に対応する輝度補正テーブル（ガンマ特性テーブル）を記憶しており、除算処理部２２６は、当該輝度補正テーブルを記憶部から読み出し、入力画像の各画素の輝度値を入力値として、輝度補正テーブルを参照して入力値に対応する出力値を取得することで輝度補正を実行する。輝度補正テーブルは、輝度補正するためのＬＵＴ（ルックアップテーブル）の一例である。
【０１１５】
第２液晶パネル１８０に対応するガンマ値は、例えば、第１液晶パネル１３０に対応するガンマ値（例えば、０．２）と第２液晶パネル１８０に対応するガンマ値との合計が１となるように決定されるとよい。図８の例では、第２液晶パネル１８０に対応するガンマ値は、０．８である。これにより、第１液晶パネル１３０に表示される画像（例えば、カラー画像）と第２液晶パネル１８０に表示される画像（例えば、モノクロ画像）とを合成した表示画像（液晶表示装置１０として表示する画像）の各画素の輝度値を、入力画像データが示す画像の各角度の輝度値と等しくすることができる（図８に実線で示す「合成」を参照）。つまり、液晶表示装置１０は、所望の表示画像を出力することができる。
【０１１６】
なお、第１液晶パネル１３０のガンマ値は、例えば、第２液晶パネル１８０のガンマ値より大きくてもよい。また、第１液晶パネル１３０及び第２液晶パネル１８０のガンマ特性は、図８に示す特性に限定されない。また、第１液晶パネル１３０に対応するガンマ値は、入力画像データの特性に応じて決定されてもよいし、第１液晶パネル１３０の表示特性に応じて決定されてもよい。また、第２液晶パネル１８０に対応するガンマ値は、入力画像データの特性に応じて決定されてもよいし、第２液晶パネル１８０の表示特性に応じて決定されてもよい。
【０１１７】
乗算器２２７は、入力画像データと、除算処理部２２６の出力データとを乗算し、乗算したデータを、第１液晶パネル１３０に出力する演算器である。これにより、第２領域（例えば、図１０の（ａ）に示す第２領域Ｒ２）のうち、第３領域Ｒ３が拡張された拡張領域に対応する対応領域の明るさを拡張領域の明るさに応じて変更することができる。具体的には、乗算器２２７は、対応領域の明るさを拡張領域の明るさの変化と逆方向に変化させる。本実施の形態では、拡張領域の明るさは拡張部２２５により明るくなる方向に変化するので、対応領域の明るさは、乗算器２２７により暗くなる方向に変化する。乗算器２２７により乗算された入力画像データは、第１出力画像データの一例である。第１出力画像データは、カラー画像を表示するための画像データである。
【０１１８】
ここで、液晶表示装置１０が表示する画像について図１０を参照しながら説明する。図１０は、液晶表示装置１０が表示する画像を説明するための図である。図１０は、拡張部２２５が図９の（ｂ）〜図９の（ｄ）に示す拡張フィルタ処理を行った場合の第１液晶パネル１３０及び第２液晶パネル１８０の表示を示している。また、図１０は、１つの仮想ブロック２７０内の一部の画素のみを図示している。
【０１１９】
図１０の（ａ）は、拡張部２２５による拡張フィルタ処理が行われていない場合の表示を示している。なお、ドットハッチがない画素は、明るい表示（例えば白表示）を行っていることを示しており、ドットハッチがある画素は白表示を行っている画素より暗い表示を行っていることを示している。また、ドットハッチの密度が高いほど暗い表示（輝度が低い表示）を行っていることを示している。液晶表示装置１０は、例えば、表示画像として、オブジェクトを白表示（明るい表示）で表示し、背景を黒表示（暗い表示）で表示する画像を表示する。
【０１２０】
第１領域Ｒ１は、第１液晶パネル１３０において、第１輝度より明るい第１画素又は第１輝度より暗い第１画素の一方で形成される領域であり、本実施の形態では、第１輝度より明るい第１画素により形成される。第２領域Ｒ２は、第１液晶パネル１３０において、第１領域Ｒ１の周囲の領域であって第１輝度より明るい第１画素及び第１輝度より暗い第１画素の他方で形成される領域であり、本実施の形態では、第１輝度より明るい第１画素により形成される。
【０１２１】
なお、第１輝度は、予め設定された輝度値であってもよいし、表示する画像ごとに決定されてもよい。また、第１輝度は、複数の仮想ブロック２７０それぞれに決定されてもよい。例えば、第１輝度は、仮想ブロック２７０それぞれにおいて当該仮想ブロック２７０の表示画像における各画素の輝度値に応じて決定されてもよい。第１輝度は、例えば、各画素の輝度値の平均値、中央値などの統計値に応じて決定されてもよいし、当該平均値又は中央値に所定の係数を演算することで決定されてもよい。第１輝度は、例えば、信号処理部２２０によって決定される。
【０１２２】
第３領域Ｒ３は、第２液晶パネル１８０において、表示したときに第１領域Ｒ１と重なり、第１領域Ｒ１の明るさに応じた明るさを有する領域である。第３領域Ｒ３は、第４輝度より明るい第２画素又は第４輝度より暗い第２画素の一方で形成される領域であり、本実施の形態では、第４輝度より明るい第２画素により形成される。第１領域Ｒ１が第１輝度より明るい第１画素で形成される場合、第３領域Ｒ３が第４輝度より明るい第２画素で形成されることは、第１領域Ｒ１の明るさに応じた明るさを有することの一例である。平面視において、第１領域Ｒ１と第３領域Ｒ３とは、重なっている。
【０１２３】
第４領域Ｒ４は、第２液晶パネル１８０において、表示したときに第２領域Ｒ２と重なり、第２領域Ｒ２の明るさに応じた明るさを有する領域である。第４領域Ｒ４は、第４輝度より明るい第２画素又は第４輝度より暗い第２画素の他方で形成される領域であり、本実施の形態では、第４輝度より暗い第２画素により形成される。第２領域Ｒ２が第１輝度より暗い第１画素で形成される場合、第４領域Ｒ４が第４輝度より暗い第２画素で形成されることは、第２領域Ｒ２の明るさに応じた明るさを有することの一例である。平面視において、第２領域Ｒ２と第４領域Ｒ４とは、重なっている。
【０１２４】
なお、第４輝度は、予め設定された輝度値であってもよいし、表示する画像ごとに決定されてもよい。また、第４輝度は、複数の仮想ブロック２７０それぞれに決定されてもよい。例えば、第４輝度は、仮想ブロック２７０それぞれにおいて当該仮想ブロック２７０の表示画像における各画素の輝度値に応じて決定されてもよい。
【０１２５】
なお、第１輝度及び第４輝度は、予め設定された輝度値であってもよいし、表示する画像ごとに決定されてもよい。また、第１輝度及び第４輝度は、複数の仮想ブロック２７０それぞれに決定されてもよい。例えば、第１輝度及び第４輝度は、仮想ブロック２７０それぞれにおいて当該仮想ブロック２７０の表示画像における各画素の輝度値に応じて決定されてもよい。第１輝度及び第４輝度は、例えば、各画素の輝度値の平均値、中央値などの統計値に応じて決定されてもよいし、当該平均値又は中央値に所定の係数を演算することで決定されてもよい。第１輝度及び第４輝度は、例えば、信号処理部２２０によって決定される。第１輝度と第４輝度とは、同じ値に決定されてもよいし、異なる値に決定されてもよい。
【０１２６】
図１０の（ｂ）は、特徴量が低い場合の（例えば、図７に示す輝度差ａ１である）場合の表示を示す。つまり、図１０の（ｂ）は、図９の（ｂ）に示すように拡張フィルタ処理が行われていない場合の第１液晶パネル１３０及び第２液晶パネル１８０の表示を示している。拡張部２２５は、特徴量が閾値未満である場合に、第３領域Ｒ３の拡張を禁止することで、図１０の（ｂ）に示す画像を実現する。この場合、拡張部２２５による拡張フィルタ処理が行われないので、中間画像データが第２出力画像データとして第２液晶パネル１８０に出力される。
【０１２７】
図１０の（ｃ）は、特徴量が中間である場合の（例えば、図７に示す輝度差ａ２である）場合の表示を示す。つまり、図１０の（ｃ）は、図９の（ｃ）に示す拡張フィルタ処理が行われた場合の第１液晶パネル１３０及び第２液晶パネル１８０の表示を示している。拡張部２２５が拡張フィルタ処理により第４領域Ｒ４の一部の明るさを第３領域Ｒ３の明るさに近づけることで第３領域Ｒ３が拡張した第２出力画像データを生成する。生成された第２出力画像データが第２液晶パネル１８０に出力されることで、図１０の（ｃ）に示す画像が実現される。図１０の（ｃ）の例では、第２出力画像データは、中間画像データから第３領域Ｒ３が左右にそれぞれ１画素ずつ拡張した画像データである。つまり、上記の拡張フィルタ処理を行うことで、結果として第３領域Ｒ３が左右にそれぞれ１画素ずつ拡張される。第３領域Ｒ３が拡張された拡張領域Ｒ５は、図１０の（ｃ）においては左右各１画素の領域である。拡張部２２５は、第３領域Ｒ３が拡張領域Ｒ５だけ拡張された第２出力画像データを第２液晶パネル１８０に出力する。
【０１２８】
サイズ計算部２２２は、拡張フィルタ処理を行うフィルタサイズを特徴量が低い場合に比べて多い画素数（第２画素の数）に決定する。拡張部２２５は、当該画素数からなるフィルタサイズで拡張フィルタ処理を行うことで、第３領域Ｒ３を拡張する。
【０１２９】
また、液晶表示装置１０は、除算処理部２２６を備えているので、第１液晶パネル１３０に表示される画像の明るさが第２液晶パネル１８０に表示される画像の明るさに応じて補正される。言い換えると、第１出力画像データは、第２出力画像データの拡張領域Ｒ５の明るさに応じて補正される。
【０１３０】
除算処理部２２６は、第２領域Ｒ２のうち第３領域Ｒ３を拡張した拡張領域Ｒ５に対応する対応領域Ｒ６の明るさを、拡張領域Ｒ５における明るさの変化と逆方向に変化させる。図１０の例では、拡張領域Ｒ５内の画素の明るさは、図１０の（ａ）及び図１０の（ｃ）に示すように明るく変化している。そのため、除算処理部２２６は、対応領域Ｒ６内の画素の明るさを暗くなるように補正する。具体的には、除算処理部２２６は、対応領域Ｒ６の明るさを入力画像データに基づく明るさ（図１０の（ａ）に示す明るさ）より暗くする。
【０１３１】
また、除算処理部２２６は、拡張領域Ｒ５内の画素の明るさの変化量に応じて対応領域Ｒ６内の画素の明るさを補正してもよい。除算処理部２２６は、拡張領域Ｒ５内の画素の明るさの変化量が大きいほど、対応領域Ｒ６内の画素の明るさを大きく変化させる。除算処理部２２６は、例えば、対応領域Ｒ６及び拡張領域Ｒ５における入力画像データに基づく第２輝度と、対応領域Ｒ６の第１出力画像データ及び拡張領域Ｒ５における第２出力画像データに基づく表示画像においてオブジェクトを白表示（明るい表示）で表示し、背景を黒表示（暗い表示）で第４輝度とが等しくなるように、対応領域Ｒ６の明るさを変化させる。
【０１３２】
図１０の（ｄ）は、特徴量が高い場合の（例えば、図７に示す輝度差ａ３である）場合の表示を示す。つまり、図１０の（ｄ）は、図９の（ｄ）に示す拡張フィルタ処理が行われた場合の第１液晶パネル１３０及び第２液晶パネル１８０の表示を示している。拡張部２２５が拡張フィルタ処理により第４領域Ｒ４の一部の明るさを第３領域Ｒ３の明るさに近づけることで、特徴量が中間の場合より第３領域Ｒ３が拡張した第２出力画像データを生成する。生成された第２出力画像データが第２液晶パネル１８０に出力されることで、図１０の（ｄ）に示す画像が実現される。図１０の（ｄ）の例では、第２出力画像データは、中間画像データから第３領域Ｒ３が左右にそれぞれ２画素ずつ拡張した画像データである。第３領域Ｒ３が拡張された拡張領域Ｒ５は、図１０の（ｄ）においては左右各２画素の領域である。
【０１３３】
サイズ計算部２２２は、拡張フィルタ処理を行うフィルタサイズを特徴量が中間である場合に比べて多い画素数（第２画素の数）に決定する。拡張部２２５は、当該画素数からなるフィルタサイズで拡張フィルタ処理を行うことで、第３領域Ｒ３を拡張する。
【０１３４】
また、除算処理部２２６により、対応領域Ｒ６内の画素の明るさは、特徴量が中間である場合と同様に、拡張領域Ｒ５内の画素の明るさの変化に応じて補正される。
【０１３５】
［２．液晶表示装置の画像表示方法］
次に、上記の液晶表示装置１０の画像表示方法について、図１１を参照しながら説明する。図１１は、本実施の形態に係る液晶表示装置１０の画像表示方法を示すフローチャートである。
【０１３６】
図１１に示すように、まず、特徴量取得部２２１は、入力画像データを取得する（Ｓ１０）。特徴量取得部２２１が入力画像データを取得する取得経路は、特に限定されない。特徴量取得部２２１は、デジタル放送波などの放送波の受信及びデコード等の信号処理を行う取得部（例えば、少なくとも１つのチューナを有する取得部）から入力画像データを取得してもよい。また、特徴量取得部２２１は、インターネット等のネットワークと通信する取得部（例えば、通信モジュール）から入力画像データを取得してもよいし、光ディスクなどの記録媒体から読み出すことで入力画像データを取得してもよい。ステップＳ１０は、第１取得ステップの一例である。
【０１３７】
次に、特徴量取得部２２１は、取得した入力画像データを、入力画像データから第２出力画像データを生成するために複数の仮想ブロック２７０に分割し（Ｓ２０）、分割した複数の仮想ブロック２７０それぞれに当該仮想ブロック２７０内の画像における明暗の差又は比を示す特徴量を取得する（Ｓ３０）。特徴量取得部２２１は、例えば、仮想ブロック２７０内の複数の画素それぞれの画素値に基づいて、当該画素の明るさ（輝度値）を算出する。そして、特徴量取得部２２１は、仮想ブロック２７０内の複数の画素それぞれの明るさに基づいて特徴量を算出する。特徴量取得部２２１は、例えば、仮想ブロック２７０内の複数の画素の輝度値のうち最大輝度と最小輝度との差分から特徴量を算出する。特徴量取得部２２１は、複数の仮想ブロック２７０それぞれの特徴量をサイズ計算部２２２に出力する。なお、ステップＳ２０及びＳ３０は、第２取得ステップの一例である。
【０１３８】
次に、サイズ計算部２２２は、取得した複数の仮想ブロック２７０それぞれの特徴量に基づいて、複数の仮想ブロック２７０それぞれに第３領域Ｒ３の膨らませ量を決定する（Ｓ４０）。サイズ計算部２２２は、拡張部２２５における拡張フィルタ処理を行うフィルタサイズを複数の仮想ブロック２７０ごとに計算することで、複数の仮想ブロック２７０それぞれの第３領域Ｒ３の膨らませ量を決定する。サイズ計算部２２２は、１つの仮想ブロック２７０に１つのフィルタサイズを決定する。サイズ計算部２２２は、仮想ブロック２７０それぞれの膨らませ量に応じたフィルタサイズを拡張部２２５に出力する。
【０１３９】
次に、拡張部２２５は、取得した膨らませ量に応じて第２液晶パネル１８０の第３領域を拡張する（Ｓ５０）。具体的には、拡張部２２５は、フィルタサイズに応じて第２出力画像データを生成するためのモノクロ画像データ（中間画像データの一例）の第３領域Ｒ３を拡張する。拡張部２２５は、特徴量が閾値以上である仮想ブロック２７０において、表示したときに第１領域Ｒ１と重なり、第１領域Ｒ１の明るさに応じた明るさを有する第３領域Ｒ３、及び、表示したときに第２領域Ｒ２と重なり、第２領域Ｒ２の明るさに応じた明るさを有する第４領域Ｒ４を有するモノクロ画像データの、第４領域Ｒ４の明るさを第３領域Ｒ３の明るさに近づけて第３領域Ｒ３を拡張することで第２出力画像データを生成する。なお、モノクロ画像データは、ガンマ補正部２２４から取得する。
【０１４０】
拡張部２２５は、取得したフィルタサイズに応じて、複数の仮想ブロック２７０ごとに当該仮想ブロック２７０に対応するフィルタサイズで拡張フィルタ処理を行う。これにより、モノクロ画像データの第３領域Ｒ３が拡張されて第２出力画像データが生成される。拡張部２２５は、第２出力画像データを第２液晶パネル１８０及び除算処理部２２６に出力する。なお、ステップＳ５０は、拡張ステップの一例である。また、ステップＳ３０〜Ｓ５０は、取得した入力画像データに基づいて、第１液晶パネル１３０に対応する第１出力画像データと、第２液晶パネル１８０に対応する第２出力画像データとを生成する生成ステップの一例である。
【０１４１】
次に、除算処理部２２６は、第３領域Ｒ３の拡張に応じて、第２領域Ｒ２の明るさを調整する（Ｓ６０）。除算処理部２２６は、第２領域Ｒ２のうち第３領域Ｒ３を拡張した拡張領域Ｒ５に対応する対応領域Ｒ６の明るさを、拡張領域Ｒ５における明るさの変化と逆方向に変化させる。除算処理部２２６は、例えば、拡張領域Ｒ５及び対応領域Ｒ６における入力画像データに基づく輝度（第２輝度の一例）と、対応領域Ｒ６における第１出力画像データ及び拡張領域Ｒ５における第２出力画像データに基づく輝度（第３輝度の一例）とが等しくなるように、対応領域Ｒ６の明るさを変化させてもよい。
【０１４２】
除算処理部２２６は、入力画像データにおける各画素（第１液晶パネル１３０における各画素）の画素値を補正するための情報（例えば、係数）を、乗算器２２７に出力する。除算処理部２２６は、例えば、モノクロ画像データと輝度補正テーブルとから、上記の情報を生成する。また、上記情報は、拡張領域Ｒ５内の画素の輝度値（つまり、拡張フィルタ処理が行われた後の輝度値）に基づいて決定されるので、拡張領域Ｒ５内の画素の明るさの変化に応じた情報（係数）である。除算処理部２２６は、上記の情報を乗算器２２７に出力する。
【０１４３】
乗算器２２７は、入力画像データと当該係数とを乗算することで、対応領域Ｒ６内の画素の明るさを補正した第１出力画像データを第１液晶パネル１３０に出力する。これにより、液晶表示装置１０は、高いコントラストを維持したまま、２重像の発生を抑制した表示画像を表示することができる。
【０１４４】
なお、ステップＳ６０の処理は、行われなくてもよい。この場合であっても、液晶表示装置１０は、特徴量に応じて２重像の発生を抑制した表示画像を表示することができる。
【０１４５】
［３．効果など］
以上のように、本実施の形態に係る液晶表示装置１０は、複数の第１画素を有する第１液晶パネル１３０（第１表示パネルの一例）と、第１液晶パネル１３０と重ね合わせて配置され、複数の第２画素を有する第２液晶パネル１８０（第２表示パネルの一例）と、入力画像データに基づいて、第１液晶パネル１３０に対応する第１出力画像データと、第２液晶パネル１８０に対応する第２出力画像データとを生成する信号処理部２２０とを備える。第１出力画像データが示す画像は、第１輝度より明るい第１画素又は第１輝度より暗い第１画素の一方で形成される第１領域Ｒ１、及び、第１領域Ｒ１の周囲の領域であって第１輝度より明るい第１画素及び前記第１輝度より暗い第１画素の他方で形成される第２領域Ｒ２を有する。そして、信号処理部２２０は、入力画像データが示す画像を複数の仮想ブロック２７０に分割し、複数の仮想ブロック２７０それぞれにおいて当該仮想ブロック２７０内の画像における明暗の差又は比を示す特徴量を取得する特徴量取得部２２１（取得部の一例）と、特徴量が閾値以上である仮想ブロック２７０において、第２出力画像データを生成するための入力画像データに基づく中間画像データであって、表示したときに第１領域Ｒ１と重なり、第１領域Ｒ１の明るさに応じた明るさを有する第３領域Ｒ３、及び、表示したときに第２領域Ｒ２と重なり、第２領域Ｒ２の明るさに応じた明るさを有する第４領域Ｒ４を有する中間画像データの、第４領域Ｒ４の明るさを第３領域Ｒ３の明るさに近づけることで第３領域Ｒ３が拡張した第２出力画像データを生成する拡張部２２５とを有する。
【０１４６】
これにより、特徴量が高い場合に、第３領域Ｒ３が拡張される。例えば、第１領域が第１輝度より明るい第１画素で形成され、第３領域Ｒ３がその明るさに対応した明るさである場合、第３領域Ｒ３が拡張されることで、第２液晶パネル１８０において明るい領域が拡張される。これにより、オブジェクトを白表示（明るい表示）で表示し、背景を黒表示（暗い表示）で表示している（例えば、ネガ表示している）場合に、視差により２重像が発生することを抑制することができる。
【０１４７】
また、例えば、第１領域が第１輝度より暗い第１画素で形成され、第３領域Ｒ３がその明るさに対応した明るさである場合、第３領域Ｒ３が拡張されることで、第２液晶パネル１８０において暗い領域が拡張される。これにより、オブジェクトを黒表示（暗い表示）で表示し、背景を白表示（明るい表示）で表示している（例えば、ポジ表示している）場合に、２重像が発生することを抑制することができる。
【０１４８】
よって、第３領域Ｒ３が拡張されることで、第１領域Ｒ１と第２領域Ｒ２との間における２重像の発生を抑制することができる。また、特徴量が閾値以上である場合、つまり２重像が見えやすい場合に、第３領域Ｒ３が拡張されるので、２重像の発生を効果的に抑制することができる。
【０１４９】
また、拡張部２２５は、注目画素１８０ａと当該注目画素１８０ａの周囲の画素とからなる領域をフィルタサイズ２８０として、当該フィルタサイズ２８０内の画素の輝度を注目画素１８０ａの輝度に設定する拡張フィルタ処理を実行するフィルタ処理部２２５ａを有する。そして、フィルタ処理部２２５ａは、特徴量が閾値以上である仮想ブロック２７０において、特徴量が閾値未満である仮想ブロック２７０に比べて多い画素数からなるフィルタサイズ２８０で拡張フィルタ処理を行うことで、第３領域Ｒ３を拡張する。
【０１５０】
これにより、拡張部２２５による拡張フィルタ処理により、第３領域Ｒ３を容易に拡張することができる。
【０１５１】
また、フィルタ処理部２２５ａのフィルタサイズ２８０を複数の仮想ブロック２７０それぞれにおいて決定するサイズ計算部２２２（決定部の一例）をさらに備える。そして、サイズ計算部２２２は、特徴量が高いほど、当該仮想ブロック２７０において拡張フィルタ処理を行うときのフィルタサイズ２８０を大きく決定することで、第３領域Ｒ３を広く拡張させる。
【０１５２】
これにより、特徴量に応じてフィルタサイズ２８０を決定することができる。つまり、特徴量に応じて第３領域Ｒ３の拡張範囲を決定することができる。よって、特徴量が高いとき、すなわち２重像が見えやすいときであっても、フィルタサイズ２８０が大きく決定されることで、２重像が見えることを抑制することができる液晶表示装置１０を実現することができる。
【０１５３】
また、拡張部２２５は、さらに、特徴量が閾値未満である場合に、第３領域Ｒ３の拡張を禁止する。
【０１５４】
これにより、拡張部２２５は、液晶表示装置１０が２重像の見えにくい表示画像を表示している場合、第３領域Ｒ３の拡張する処理を行わない。つまり、拡張部２２５の処理量を低減することができる。よって、液晶表示装置１０は、効果的に２重像の発生を抑制することができる。
【０１５５】
また、信号処理部２２０は、第２領域Ｒ２のうち第３領域Ｒ３を拡張した拡張領域Ｒ５に対応する対応領域Ｒ６の明るさを、拡張領域Ｒ５における明るさの変化と逆方向に変化させる除算処理部２２６（除算部の一例）を、さらに備える。
【０１５６】
これにより、液晶表示装置１０は、当該液晶表示装置１０が表示する表示画像を正面から見た場合の画像品位の低下を抑制しつつ、視差による２重像が見えることを抑制することができる。
【０１５７】
また、除算処理部２２６は、対応領域Ｒ６及び拡張領域Ｒ５における入力画像データに基づく第２輝度と、対応領域Ｒ６における第１出力画像データ及び拡張領域における第２出力画像データに基づく第３輝度とが等しくなるように、対応領域Ｒ６の明るさを変化させる。
【０１５８】
これにより、液晶表示装置１０が表示する表示画像を正面から見た場合の画像品位の低下をさらに抑制しつつ、視差による２重像が見えることを抑制することができる。つまり、高コントラスト表示と２重像見えの低減とを両立した液晶表示装置１０を実現することができる。
【０１５９】
また、第１領域Ｒ１は、第１輝度より明るい第１画素で形成され、第３領域Ｒ３は、第４輝度より明るい第２画素又は第４輝度より暗い第２画素のうち、第４輝度より明るい第２画素で形成される。
【０１６０】
これにより、表示画像においてオブジェクトを白表示（明るい表示）で表示し、背景を黒表示（暗い表示）で表示している場合に、オブジェクトと背景との境界に２重像が発生することを抑制することができる。つまり、ネガ表示を行っている表示画像において、２重像の見えを抑制することができる。
【０１６１】
また、特徴量は、当該仮想ブロック２７０内における最大輝度と最小輝度との差である。
【０１６２】
これにより、輝度差が閾値以上である場合に、第３領域Ｒ３の拡張が行われる。コントラスト比が同じであっても輝度差が異なる表示画像を各仮想ブロック２７０が表示する場合、各仮想ブロック２７０それぞれで輝度差に応じて第３領域Ｒ３が拡張される。よって、コントラスト比に応じて第３領域Ｒ３の拡張を判定する場合に比べ、より適正に第３領域Ｒ３を拡張することができる。
【０１６３】
また、複数の第２画素のそれぞれは、複数の第１画素のそれぞれと一対一となるように配置される。
【０１６４】
これにより、液晶表示装置１０は、第２画素が複数の第１画素に対して１つ設けられている場合に比べ、２重像の発生を抑制することができる。
【０１６５】
また、以上のように、本実施の形態に係る液晶表示装置１０の画像表示方法は、複数の第１画素を有する第１液晶パネル１３０と、第１液晶パネル１３０と重ね合わせて配置され、複数の第２画素を有する第２液晶パネル１８０とを備える液晶表示装置１０の画像表示方法である。画像表示方法は、入力画像データを取得する第１取得ステップ（Ｓ１０）と、取得した入力画像データに基づいて、第１液晶パネル１３０に対応する第１出力画像データと、第２液晶パネルに対応する第２出力画像データとを生成する生成ステップ（Ｓ３０〜Ｓ５０）とを含む。第１出力画像データが示す画像は、第１輝度より明るい第１画素又は第１輝度より暗い第１画素の一方で形成される第１領域Ｒ１、及び、第１領域Ｒ１の周囲の領域であって第１輝度より明るい第１画素及び第１輝度より暗い第１画素の他方で形成される第２領域Ｒ２を有する。そして、生成ステップは、入力画像データが示す画像を複数の仮想ブロック２７０に分割し、複数の仮想ブロック２７０それぞれにおいて当該仮想ブロック２７０内の画像における明暗の差又は比を示す特徴量を取得する第２取得ステップ（Ｓ２０及びＳ３０）と、特徴量が閾値以上である仮想ブロック２７０において、第２出力画像データを生成するための入力画像データに基づく画像データであって、表示したときに第１領域Ｒ１と重なり、第１領域Ｒ１の明るさに応じた明るさを有する第３領域Ｒ３、及び、表示したときに第２領域Ｒ２と重なり、第２領域Ｒ２の明るさに応じた明るさを有する第４領域Ｒ４を有する画像データの、第４領域Ｒ４の明るさを第３領域Ｒ３の明るさに近づけて第３領域Ｒ３を拡張することで第２出力画像データを生成する拡張ステップ（Ｓ５０）とを含む。
【０１６６】
これにより、上記の液晶表示装置１０と同様の効果を奏する。
【０１６７】
（実施の形態の変形例１）
上記実施の形態で説明したように、第１液晶パネル１３０及び第２液晶パネル１８０の間隔ｄにより、２重像の見え方が異なる。具体的には、第１液晶パネル１３０及び第２液晶パネル１８０の間隔ｄが広いと、２重像は見えやすくなる。例えば、液晶表示装置が表示する画像を斜め方向から見た場合、間隔ｄが狭い場合は２重像が目立たないときでも間隔ｄが広いと目立って見える。そのため、本変形例では、フィルタサイズを第１液晶パネル１３０及び第２液晶パネル１８０の間隔ｄにより変更する例について説明する。本変形例に係る液晶表示装置は、上記実施の形態の液晶表示装置１０が行う処理に加えて、又は、替えて第１液晶パネル１３０及び第２液晶パネル１８０の間隔ｄによりフィルタサイズを変更する処理を行う。なお、本変形例に係る液晶表示装置の構成は、上記実施の形態と同様であり、説明を省略する。以下、本変形例に係る液晶表示装置について、図１２Ａ及び図１２Ｂを参照しながら説明する。
【０１６８】
図１２Ａは、本変形例に係る第１間隔ｄ１である液晶表示装置を第１角度θ１から見た場合の様子を示す図である。図１２Ａに示すように、第３領域Ｒ３が拡張しており、かつ対応領域Ｒ６の明るさが調整されているので、観察者が第１角度θ１で液晶表示装置を見た場合、２重像は見えにくい。なお、第１液晶パネル１３０と第２液晶パネル１８０との間隔は、間隔ｄ１であり、そのときの膨らませ量は膨らませ量ｗ１（図１２Ａでは、左右各１画素）であるとする。また、左右の各１画素は、拡張領域Ｒ５の一例である。
【０１６９】
図１２Ｂは、本変形例に係る第２間隔ｄ２である液晶表示装置を第２角度θ２から見た様子を示す図である。図１２Ｂの（ａ）は、膨らませ量ｗ１である液晶表示装置を第２角度θ２から見た様子を示す図である。また、図１２Ｂの（ｂ）は、膨らませ量ｗ１より大きい膨らませ量ｗ２（図１２Ｂの（ｂ）では、左右各２画素）である液晶表示装置を第２角度θ２から見た様子を示している。なお、以下において、第１間隔ｄ１及び第２間隔ｄ２を区別しない場合は、間隔ｄとも記載する。
【０１７０】
図１２Ｂの（ａ）に示すように、第２角度θ２から液晶表示装置を見た場合、第１角度θ１では見えていなかった２重像が見えるようになる。つまり、第１液晶パネル１３０と第２液晶パネル１８０との間隔ｄが大きいと、２重像が見えやすくなる。そこで、本変形例に係る液晶表示装置は、第１液晶パネル１３０と第２液晶パネル１８０との間隔ｄに応じて、膨らませ量を変更する点に特徴を有する。
【０１７１】
図１２Ｂの（ｂ）に示すように、間隔が間隔ｄ２（＞ｄ１）である場合は、膨らませ量を膨らませ量ｗ２（＞ｗ１）とする。サイズ計算部２２２は、例えば、膨らませ量ｗ１であるときのフィルタサイズより大きなフィルタサイズを膨らませ量ｗ２のフィルタサイズに決定する。間隔ｄ２は固定値（例えば、設計値）であり経時的に変化しないので、記憶部が間隔ｄ２に応じたＬＵＴを記憶しており、サイズ計算部２２２は、当該ＬＵＴを用いてフィルタサイズを計算することで、間隔ｄ２に応じた膨らませ量を決定する。これにより、間隔が間隔ｄ２（＞ｄ１）である液晶表示装置を第２角度θ２から見たときに、２重像を見えにくくすることができる。
【０１７２】
上記のように、本変形例に係る液晶表示装置は、間隔ｄが大きいほど、膨らませ量を大きくする。つまり、本変形例に係る液晶表示装置は、間隔ｄが大きいほど、第３領域Ｒ３を広く拡張する。これは、本変形例に係るサイズ計算部２２２が、間隔ｄが大きいほど、フィルタサイズを大きく決定することで実現される。なお、間隔ｄは、第１液晶パネル１３０及び第２液晶パネル１８０の仕様により決定される。
【０１７３】
以上のように、本変形例に係る液晶表示装置の拡張部２２５は、第１液晶パネル１３０（第１表示パネルの一例）と第２液晶パネル１８０（第２表示パネルの一例）との間隔ｄが大きいほど、第３領域Ｒ３を広く拡張する。具体的には、サイズ計算部２２２（決定部の一例）は、さらに、第１液晶パネル１３０及び第２液晶パネル１８０の間隔ｄが大きいほど、フィルタサイズを大きく決定することで、第３領域Ｒ３を広く拡張する。
【０１７４】
これにより、第１液晶パネル１３０と第２液晶パネル１８０との間隔が広い設計の液晶表示装置であっても、２重像が見えることを抑制することができる。
【０１７５】
（実施の形態の変形例２）
上記実施の形態及び変形例１では、仮想ブロック２７０それぞれの膨らませ量ｗは、当該仮想ブロック２７０における特徴量によって決定される例について説明したが、これに限定されない。当該仮想ブロック２７０の膨らませ量ｗは、さらに当該仮想ブロック２７０以外の少なくとも１つの仮想ブロック２７０（例えば、当該仮想ブロック２７０と隣接する仮想ブロック２７０）の膨らませ量ｗによって決定されてもよい。具体的には、当該仮想ブロック２７０に含まれる複数の画素それぞれの膨らませ量ｗは、当該仮想ブロック２７０以外の少なくとも１つの仮想ブロック２７０の膨らませ量ｗを用いて決定されてもよい。言い換えると、当該仮想ブロック２７０に含まれる複数の画素それぞれの膨らませ量ｗは、当該仮想ブロック２７０以外の少なくとも１つの仮想ブロック２７０の膨らませ量ｗを用いて個々に決定されてもよい。以下、本変形例に係る液晶表示装置について、図１３Ａ及び図１３Ｂを参照しながら説明する。なお、本変形例に係る液晶表示装置の構成は、実施の形態と同様であり、説明を省略する。
【０１７６】
図１３Ａは、本変形例に係る仮想ブロック２７０の頂点における膨らませ量ｐ００〜ｐ４４を説明するための図である。図１３Ａは、図６と同様、１画像が縦４分割、横４分割された例を示している。図１３Ａに示すｐ００〜ｐ４４は、仮想ブロック２７０それぞれの頂点における膨らませ量を示している。また、図１３Ａに示すｂ００〜ｂ３３は、仮想ブロック２７０それぞれの膨らませ量を示している。膨らませ量ｂ００〜ｂ３３は、実施の形態及び変形例１と同様に決定される。なお、複数の仮想ブロック２７０のそれぞれは、例えば、矩形状であり４つの頂点を含んで形成される。
【０１７７】
サイズ計算部２２２は、複数の仮想ブロック２７０それぞれに膨らませ量ｂ００〜ｂ３３を決定した後、さらに仮想ブロック２７０を形成する複数の頂点それぞれの膨らませ量ｐ００〜ｐ４４を決定する。サイズ計算部２２２は、例えば、膨らませ量ｂ００〜ｂ３３を用いて、膨らませ量ｐ００〜ｐ４４を算出することで、頂点における膨らませ量を決定する。
【０１７８】
膨らませ量ｐ１１を例に説明すると、膨らませ量ｐ１１に対応する頂点は、膨らませ量ｂ００、ｂ０１、ｂ１０及びｂ１１に対応する仮想ブロック２７０それぞれに共通して含まれる頂点である。サイズ計算部２２２は、例えば、膨らませ量ｐ１１に対応する頂点を含む複数の仮想ブロック２７０（図１３Ａでは、膨らませ量ｂ００、ｂ０１、ｂ１０及びｂ１１である４つの仮想ブロック２７０）のうちの少なくとも１つを用いて当該頂点における膨らませ量ｐ１１を決定する。サイズ計算部２２２が仮想ブロック２７０の膨らませ量ｂ００、ｂ０１、ｂ１０及びｂ１１の４つの膨らませ量を用いて頂点の膨らませ量ｐ１１を算出する場合、膨らませ量ｐ１１は、
ｐ１１＝（ｂ００＋ｂ０１＋ｂ１０＋ｂ１１）／４            ・・・（式１）
により算出される。つまり、サイズ計算部２２２は、膨らませ量ｐ１１に対応する頂点を含む複数の仮想ブロック２７０それぞれの膨らませ量の平均値を、膨らませ量ｐ１１として決定する。なお、サイズ計算部２２２は、その他の計算により膨らませ量ｐ１１を決定してもよい。サイズ計算部２２２は、例えば、仮想ブロック２７０の膨らませ量ｂ００、ｂ０１、ｂ１０及びｂ１１のうちの最大値と最小値との中央値を頂点の膨らませ量ｐ１１として決定してもよいし、平均値又は中央値に所定の演算を行った値（例えば、所定の係数をかけた値）を膨らませ量ｐ１１に決定してもよい。
【０１７９】
上記の計算により、サイズ計算部２２２は、頂点における膨らませ量ｐ００〜ｐ４４のそれぞれを決定する。なお、複数の頂点のうち、外周に位置する頂点における膨らませ量は、上記のように４つの仮想ブロック２７０の膨らませ量を用いて計算されなくてもよい。例えば、膨らませ量ｐ００に対応する頂点は、膨らませ量ｂ００に対応する仮想ブロック２７０のみの頂点を形成する。そのため、膨らませ量ｐ００を例に説明すると、膨らませ量ｐ００は、
ｐ００＝ｂ００            ・・・（式２）
により算出される。つまり、１画像の四隅における頂点の膨らませ量ｐ００、ｐ０４、ｐ４０及びｐ４４は、当該膨らませ量に対応する頂点が含まれる１つの仮想ブロック２７０の膨らませ量に決定される。なお、サイズ計算部２２２は、膨らませ量ｂ００に所定の演算を行った値を膨らませ量ｐ００に決定してもよい。
【０１８０】
また、外周におけるその他の頂点の膨らませ量は、当該頂点が含まれる２つの仮想ブロック２７０の膨らませ量の平均値に決定されてもよい。例えば、膨らませ量ｐ０１を例に説明すると、膨らませ量ｐ０１は、
ｐ０１＝（ｂ００＋ｂ０１）／２            ・・・（式３）
により算出されてもよい。
【０１８１】
次に、サイズ計算部２２２による仮想ブロック２７０間の膨らませ量の補完について、図１３Ｂを参照しながら説明する。図１３Ｂは、本変形例に係る、膨らませ量の仮想ブロック間の補完を説明するための図である。図１３Ｂでは、一例として膨らませ量ｐ２２、ｐ２３、ｐ３２及びｐ３３に対応する頂点で構成される仮想ブロック２７０を図示している。仮想ブロック２７０の大きさは、横Ｄ１であり、縦Ｄ２である。膨らませ量ｐ２２に対応する頂点（図１３Ｂに示す仮想ブロック２７０の左上の頂点）の座標を（０、０）としたときの画素位置（ｘ、ｙ）における膨らませ量ｗｘｙは、例えば、
ｗｘｙ＝（（ｐ２２−ｐ２３＋ｐ３２−ｐ３３）×ｘ×ｙ＋（ｐ２３−ｐ２２）×ｘ×Ｄ２＋（ｐ３３−ｐ２２）×ｙ×Ｄ１＋ｐ２２×Ｄ１×Ｄ２）／（Ｄ１×Ｄ２）・・・（式４）
により算出される。式４により、（ｘ、ｙ）に位置する画素における膨らませ量ｗｘｙが算出される。サイズ計算部２２２は、例えば、仮想ブロック２７０に含まれる複数の画素それぞれにおいて、式４により当該画素の膨らませ量を決定する。
【０１８２】
また、膨らませ量ｗｘｙは、図１３Ｂに示す膨らませ量ｐ２２ｘ及びｐ３２ｘを用いると、
ｗｘｙ＝（ｐ２２ｘ×（Ｄ２−ｙ）＋ｐ３２ｘ×ｙ）／Ｄ２          ・・・（式５）
により算出されてもよい。なお、膨らませ量ｐ２２ｘは、膨らませ量ｐ２２に対応する頂点と膨らませ量ｐ２３に対応する頂点との間であって、膨らませ量ｐ２２に対応する頂点から位置ｘだけ膨らませ量ｐ２３に対応する頂点に移動した位置における膨らませ量を示している。膨らませ量ｐ２２ｘは、例えば、
ｐ２２ｘ＝（ｐ２２×（Ｄ１−ｘ）＋ｐ２３×ｘ）／Ｄ１          ・・・（式６）
により算出される。
【０１８３】
膨らませ量ｐ３２ｘは、膨らませ量ｐ３２に対応する頂点と膨らませ量ｐ３３に対応する頂点との間であって、膨らませ量ｐ３２に対応する頂点から位置ｘだけ膨らませ量ｐ３３に対応する頂点に移動した位置における膨らませ量を示している。膨らませ量ｐ３２ｘは、例えば、
ｐ３２ｘ＝（ｐ３３×（Ｄ１−ｘ）＋ｐ３２×ｘ）／Ｄ１          ・・・（式７）
により算出される。
【０１８４】
式６及び式７を式５に代入してまとめると、膨らませ量ｗｘｙは、
ｗｘｙ＝（ｐ２２×Ｄ１×Ｄ２−ｐ２２×ｘ×Ｄ２＋ｐ２３×ｘ×Ｄ２−ｐ２２×Ｄ１×ｙ＋ｐ２２×ｘ×ｙ−ｐ２３×ｘ×ｙ＋ｐ３３×Ｄ１×ｙ−ｐ３３×ｘ×ｙ＋ｐ３２×ｘ×ｙ）／（Ｄ１×Ｄ２）          ・・・（式８）
により算出されてもよい。なお、膨らませ量ｗｘｙは、各頂点の膨らませ量（ｐ２２、ｐ２３、ｐ３２及びｐ３３）と、膨らませ量ｗｘｙを算出する位置（例えば、膨らませ量ｐ２２に対応する頂点の座量を（０，０）としたときの位置であり、図１３Ｂに示す（ｘ，ｙ））と、仮想ブロック２７０大きさ（横Ｄ１及び縦Ｄ２）とを用いて算出されていれば上記の式に限定されない。
【０１８５】
サイズ計算部２２２は、図１１に示すステップＳ４０において、さらに上記の処理を行うことで、複数の仮想ブロック２７０それぞれに膨らませ量を決定する。具体的には、サイズ計算部２２２は、複数の仮想ブロック２７０内の複数の画素それぞれに膨らませ量を決定する。
【０１８６】
拡張部２２５は、複数の画素それぞれの膨らませ量に応じて、当該画素に対して拡張フィルタ処理を行うときのフィルタのサイズを決定する。
【０１８７】
以上のように、本変形例に係る液晶表示装置１０のサイズ計算部２２２は、複数の仮想ブロック２７０それぞれの頂点における膨らませ量に基づいて、当該仮想ブロック２７０内の複数の画素それぞれの膨らませ量を線形補間で算出する。隣り合う仮想ブロック（例えば、膨らませ量ｂ００及びｂ０１に対応する仮想ブロック）に共通して含まれる頂点（例えばあ、ｐ０１及びｐ１１）における膨らませ量は、当該頂点を含む２以上の仮想ブロック２７０のうち少なくとも２つの仮想ブロックにおける膨らませ量に基づいて算出される。
【０１８８】
これにより、隣り合う仮想ブロック２７０間の膨らませ量同士を線形補間することができるので、隣り合う仮想ブロック２７０の境界において膨らませ量が大きくなることを抑制することができる。つまり、サイズ計算部２２２は、仮想ブロック２７０間における膨らませ量の変化を滑らかにすることができる。
【０１８９】
（その他の実施の形態）
以上、実施の態様に係る液晶表示装置及び液晶表示装置の画像表示方法について、実施の形態及び変形例（以降において、実施の形態等とも記載する）に基づいて説明したが、本開示は、この実施の形態等に限定されるものではない。
【０１９０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１９１】
例えば、上記実施の形態等における液晶表示装置は、テレビ装置に限定されず、取得した入力画像データを表示する機能を有するあらゆる装置に適用可能である。例えば、液晶表示装置は、デジタル放送受信機能及び受信したデジタル放送の番組を再生する機能を有するタブレット端末、据え置き型及び／又は携帯型のパーソナルコンピュータ、ゲーム機等に適用されてもよい。
【０１９２】
また、上記実施の形態等では、画像表示装置として液晶パネルを備える液晶表示装置について説明したが、これに限定されない。本開示は、複数枚の表示パネルが重ね合わされて構成される表示部を備える表示装置に適用可能である。
【０１９３】
また、上記実施の形態等におけるフィルタ処理部は、さらに仮想ブロックの位置に応じて第３領域を拡張する領域を変更してもよい。例えば、液晶表示装置は、観察者がいる位置を取得し、取得した観察者の位置に応じて第３領域を拡張する領域を仮想ブロックごとに決定してもよい。例えば、サイズ計算部は、特徴量が同じ２つの仮想ブロックがあった場合、観察者から遠い仮想ブロックにおいて第３領域を拡張する拡張領域を観察者から近い仮想ブロックにおいて第３領域を拡張する領域より広くなるようにフィルタサイズを決定してもよい。
【０１９４】
また、上記実施の形態等では、ガンマ補正部及び除算処理部は、ルックアップテーブルを用いて各画素の輝度値に対する処理を行う例について説明したが、これに限定されない。ガンマ補正部及び除算処理部は、所定の演算式を用いて各画素の輝度値を補正してもよい。
【０１９５】
また、上記実施の形態等において、第１液晶パネルがカラー画像を表示し、第２液晶パネルがモノクロ画像を表示する構成としたが、これに限らない。例えば、第１液晶パネルがモノクロ画像を表示し、第２液晶パネルがカラー画像を表示する構成であってもよい。
【０１９６】
また、上記実施の形態等では、第２領域は、第１領域が第１輝度より明るい第１画素で形成される場合、第１輝度より暗い第１画素で形成される例について説明したが、これに限定されない。第２領域は、例えば、第１輝度より低い第３輝度より暗い第１画素で形成されていてもよい。つまり、第１領域と第２領域とは、異なる輝度値を基準に形成される領域であってもよい。また、第３領域と第４領域とにおいても、同様である。
【０１９７】
また、上記実施の形態等のフローチャートで説明された処理の順序は、一例である。複数の処理の順序は変更されてもよいし、複数の処理は並行して実行されてもよい。
【０１９８】
その他、上記実施の形態等に対して当業者が思いつく各種変形を施して得られる形態や、本開示の趣旨を逸脱しない範囲で各実施の形態における構成要素および機能を任意に組み合わせることで実現される形態も本開示に含まれる。
【産業上の利用可能性】
【０１９９】
本開示は、例えば、複数枚の表示パネルを重ね合わせて構成される液晶表示装置に適用可能である。
【符号の説明】
【０２００】
１０    液晶表示装置（画像表示装置）
１００    液晶表示部
１１０    第１液晶表示モジュール
１２０    第１液晶表示部
１３０    第１液晶パネル（第１表示パネル）
１３１    第１透明基板
１３１ａ    第１ＴＦＴ基板
１３１ｂ    第１対向基板
１３２    第１液晶層
１３３    第１偏光板
１３４    第１ＴＦＴ層
１３５    第１画素形成層
１３５ａ    第１ブラックマトリクス
１３５ｂ    カラーフィルタ
１４１    第１ソースＦＰＣ
１４２    第１ソースドライバ
１４３    第１ソース基板
１４４    第１制御ＦＰＣ
１４５    第１ゲートドライバ
１５０    第１制御基板
１５１    第１タイミングコントローラ
１６０    第２液晶表示モジュール
１７０    第２液晶表示部
１８０    第２液晶パネル（第２表示パネル）
１８０ａ    注目画素
１８０ｂ    周囲画素
１８１    第２透明基板
１８１ａ    第２ＴＦＴ基板
１８１ｂ    第２対向基板
１８２    第２液晶層
１８３    第２偏光板
１８４    第２ＴＦＴ層
１８５    第２画素形成層
１８５ａ    第２ブラックマトリクス
１９１    第２ソースＦＰＣ
１９２    第２ソースドライバ
１９３    第２ソース基板
１９４    第２制御ＦＰＣ
１９５    第２ゲートドライバ
２００    第２制御基板
２０１    第２タイミングコントローラ
２１０    接着層
２２０    信号処理部
２２１    特徴量取得部（取得部）
２２２    サイズ計算部（決定部）
２２３    輝度情報取得部
２２４    ガンマ補正部
２２５    拡張部
２２５ａ    フィルタ処理部
２２６    除算処理部（除算部）
２２７    乗算器
２３０    パネルホルダ
２４０    バックライトユニット
２４１    光学シート
２４２    基板
２４３    発光素子
２４４    バックライトシャーシ
２５０    筐体
２６０    スタンド
２７０    仮想ブロック
Ｒ１    第１領域
Ｒ２    第２領域
Ｒ３    第３領域
Ｒ４    第４領域
Ｒ５    拡張領域
Ｒ６    対応領域
ｄ    間隔
ｄ１    第１間隔
ｄ２    第２間隔
【図１】
2020064240.tif 000003
【図２】
2020064240.tif 000004
【図３】
2020064240.tif 000005
【図４】
2020064240.tif 000006
【図５】
2020064240.tif 000007
【図６】
2020064240.tif 000008
【図７】
2020064240.tif 000009
【図８】
2020064240.tif 000010
【図９】
2020064240.tif 000011
【図１０】
2020064240.tif 000012
【図１１】
2020064240.tif 000013
【図１２Ａ】
2020064240.tif 000014
【図１２Ｂ】
2020064240.tif 000015
【図１３Ａ】
2020064240.tif 000016
【図１３Ｂ】
2020064240.tif 000017
【図１４Ａ】
2020064240.tif 000018
【図１４Ｂ】
2020064240.tif 000019
【図１４Ｃ】
2020064240.tif 000020